(57)【特許請求の範囲】
【請求項１】
無線回線を介して所定のネットワークに接続するための接続権であって、通信事業者が運営する基地局に接続するための契約認証情報に基づいて前記基地局に接続する接続権を共有する複数の無線通信装置により構成されるグループに追加登録するための操作入力として前記グループを特定するためのグループ情報を受け付ける受付部と、
前記グループ情報が受け付けられた場合に、前記グループを構成する無線通信装置において承認操作が行われるまでは前記グループに仮登録しておき、前記グループを構成する無線通信装置において前記承認操作が行われたことを条件に前記グループに追加登録することを要求する追加要求を前記グループを管理する管理システムに無線回線を介して送信する制御部と
を具備する無線通信装置。
【請求項２】
前記管理システムは、前記追加要求を受信した場合には、当該追加要求を送信した無線通信装置を前記グループに仮登録する仮登録処理を行い、当該仮登録後に前記グループを構成する無線通信装置において当該追加要求に対する前記承認操作が行われた場合には、当該追加要求を送信した無線通信装置を前記グループに追加登録する登録処理を行う請求項１記載の無線通信装置。
【請求項３】
前記管理システムは、前記追加要求を受信した場合には、前記グループを構成する無線通信装置に当該追加要求に対する前記承認操作を行わせるための追加承認要求を無線回線を介して送信し、前記追加承認要求を送信した無線通信装置から当該追加要求に対する前記承認操作が行われた旨の追加承認結果を受信した場合には、当該追加要求を送信した無線通信装置を前記グループに追加登録する登録処理を行う請求項２記載の無線通信装置。
【請求項４】
前記管理システムは、前記仮登録がされてから前記承認操作が一定期間以上行われない場合には、当該仮登録を抹消して当該仮登録に係る追加登録を行わない請求項２記載の無線通信装置。
【請求項５】
前記管理システムは、前記グループを構成する無線通信装置からの要求に応じて、前記グループを構成する複数の無線通信装置間において前記接続権を移転する移転処理を行い、前記グループに仮登録されている無線通信装置については前記接続権の移転を行わない請求項１記載の無線通信装置。
【請求項６】
前記管理システムは、前記追加要求を送信した無線通信装置を前記グループに仮登録した場合には、その旨の通知を前記グループを構成する無線通信装置に無線回線を介して送信する請求項１記載の無線通信装置。
【請求項７】
前記管理システムは、前記通知とともに、前記追加要求に対する前記承認操作を行わせるための追加承認要求を前記グループを構成する無線通信装置に無線回線を介して送信する請求項６記載の無線通信装置。
【請求項８】
前記制御部は、前記追加要求に応じて前記グループに追加登録された旨の通知を前記管理システムから受信した場合に前記グループに追加登録された旨を表示部に表示させる請求項１記載の無線通信装置。
【請求項９】
前記受付部は、前記グループに付与されている識別情報およびパスワードを前記グループ情報として受け付ける請求項１記載の無線通信装置。
【請求項１０】
前記管理システムは、ＲＯ（Registration Operator）である請求項１記載の無線通信装置。
【請求項１１】
前記グループを構成する複数の無線通信装置のうち前記接続権を保持する無線通信装置は、前記接続権に基づいてＳＨＯ（Selected Home Operator）に接続可能であり、
前記グループを構成する複数の無線通信装置のうち前記接続権を保持する無線通信装置以外の無線通信装置は、ＲＯにのみ接続可能である
請求項１記載の無線通信装置。
【請求項１２】
無線回線を介して所定のネットワークに接続するための接続権であって、通信事業者が運営する基地局に接続するための契約認証情報に基づいて前記基地局に接続する接続権を共有する複数の無線通信装置により構成されるグループを管理するためのデータベースに格納されている前記グループに追加登録するための追加要求を、前記グループを構成する無線通信装置以外の他の無線通信装置から受信する受信部と、
前記追加要求を受信した場合には、当該追加要求を送信した前記他の無線通信装置を前記グループに仮登録する仮登録処理を前記データベースについて行い、当該仮登録後に前記グループを構成する無線通信装置において当該追加要求に対する承認操作が行われた場合には、当該追加要求を送信した前記他の無線通信装置を前記グループに追加登録する登録処理を前記データベースについて行う制御を行う制御部と
を具備する情報処理装置。
【請求項１３】
無線回線を介して所定のネットワークに接続するための接続権であって、通信事業者が運営する基地局に接続するための契約認証情報に基づいて前記基地局に接続する接続権を共有する複数の無線通信装置により構成されるグループに追加登録するための操作入力として前記グループを特定するためのグループ情報を受け付ける受付部と、前記グループ情報が受け付けられた場合に、前記グループを構成する無線通信装置において承認操作が行われるまでは前記グループに仮登録しておき、前記グループを構成する無線通信装置において前記承認操作が行われたことを条件に前記グループに追加登録することを要求する追加要求を前記グループを管理する情報処理装置に無線回線を介して送信する制御部とを備える無線通信装置と、
前記追加要求を受信した場合には、当該追加要求を送信した無線通信装置を前記グループに仮登録する仮登録処理を行い、当該仮登録後に前記グループを構成する無線通信装置において当該追加要求に対する前記承認操作が行われた場合には、当該追加要求を送信した無線通信装置を前記グループに追加登録する登録処理を行う情報処理装置と
を具備する通信システム。
【請求項１４】
無線回線を介して所定のネットワークに接続するための接続権であって、通信事業者が運営する基地局に接続するための契約認証情報に基づいて前記基地局に接続する接続権を共有する複数の無線通信装置により構成されるグループに追加登録するための操作入力として前記グループを特定するためのグループ情報を受け付ける受付手順と、
前記グループ情報が受け付けられた場合に、前記グループを構成する無線通信装置において承認操作が行われるまでは前記グループに仮登録しておき、前記グループを構成する無線通信装置において前記承認操作が行われたことを条件に前記グループに追加登録することを要求する追加要求を前記グループを管理する管理システムに無線回線を介して送信する送信手順と
を具備する無線通信装置の制御方法。
【発明の詳細な説明】
【技術分野】
【０００１】
本技術は、情報処理装置に関する。詳しくは、ネットワークに接続する無線通信装置、情報処理装置、これらを備える通信システムおよび無線通信装置の制御方法に関する。
【背景技術】
【０００２】
現在、公衆無線通信ネットワークの技術仕様を策定している３ＧＰＰ（3rd Generation Partnership Project）において機能拡張が検討されている（例えば、非特許文献１参照。）。
【０００３】
この機能拡張（Machine to Machine Equipmentと称される）によれば、サービス利用可能であることを示す情報について柔軟な使い方が可能になる。このサービス利用可能であることを示す情報は、ＭＣＩＭ（Machine Communication Identity Module）である。例えば、ＭＣＩＭをネットワークからダウンロードしたり、一時的に停止したり、再開することができるようになる。
【０００４】
また、現在、このＭＣＩＭに相当する情報は、ＳＩＭ（Subscriber Identity Module）カードと呼ばれる物理デバイスに保存する必要がある。しかしながら、ＭＣＩＭをソフトウェアとして扱うことにより、保存方法も柔軟にすることができるようになる。
【先行技術文献】
【非特許文献】
【０００５】
【非特許文献１】3GPP TR 33.812 V9.2.0（2010-06）
【発明の概要】
【発明が解決しようとする課題】
【０００６】
上述の機能拡張を利用することにより、従来とは異なるＭＣＩＭの使用方法が考えられるようになる。
【０００７】
例えば、複数の無線通信装置間においてＭＣＩＭを共有することが想定される。この場合には、その共有に係る操作等を容易に行うとともに、その共有に係る安全性を維持することが重要である。
【０００８】
本技術はこのような状況に鑑みて生み出されたものであり、複数の無線通信装置間においてネットワークに接続するための権利を共有し、その共有に係る安全性を維持することを目的とする。
【課題を解決するための手段】
【０００９】
本技術は、上述の問題点を解消するためになされたものであり、その第１の側面は、無線回線を介して所定のネットワークに接続するための接続権であって、通信事業者が運営する基地局に接続するための契約認証情報に基づいて上記基地局に接続する接続権を共有する複数の無線通信装置により構成されるグループに追加登録するための操作入力として上記グループを特定するためのグループ情報を受け付ける受付部と、上記グループ情報が受け付けられた場合に、上記グループを構成する無線通信装置において承認操作が行われるまでは上記グループに仮登録しておき、上記グループを構成する無線通信装置において上記承認操作が行われたことを条件に上記グループに追加登録することを要求する追加要求を上記グループを管理する管理システムに無線回線を介して送信する制御部とを具備する無線通信装置およびその制御方法ならびに当該方法をコンピュータに実行させるプログラムである。これにより、グループに追加登録するための操作入力としてグループ情報を受け付けると、追加要求（そのグループを構成する無線通信装置において承認操作が行われるまではそのグループに仮登録しておき、そのグループを構成する無線通信装置においてその承認操作が行われたことを条件にそのグループに追加登録するための要求）をそのグループを管理する管理システムに無線回線を介して送信するという作用をもたらす。
【００１０】
また、この第１の側面において、上記管理システムは、上記追加要求を受信した場合には、当該追加要求を送信した無線通信装置を上記グループに仮登録する仮登録処理を行い、当該仮登録後に上記グループを構成する無線通信装置において当該追加要求に対する上記承認操作が行われた場合には、当該追加要求を送信した無線通信装置を上記グループに追加登録する登録処理を行うようにしてもよい。これにより、管理システムは、追加要求を受信した場合には、その追加要求を送信した無線通信装置をそのグループに仮登録する仮登録処理を行い、その仮登録後にそのグループを構成する無線通信装置においてその追加要求に対する承認操作が行われた場合には、その追加要求を送信した無線通信装置をそのグループに追加登録する登録処理を行うという作用をもたらす。
【００１１】
また、この第１の側面において、上記管理システムは、上記追加要求を受信した場合には、上記グループを構成する無線通信装置に当該追加要求に対する上記承認操作を行わせるための追加承認要求を無線回線を介して送信し、上記追加承認要求を送信した無線通信装置から当該追加要求に対する上記承認操作が行われた旨の追加承認結果を受信した場合には、当該追加要求を送信した無線通信装置を上記グループに追加登録する登録処理を行うようにしてもよい。これにより、管理システムは、追加要求を受信した場合には、そのグループを構成する無線通信装置にその追加要求に対する承認操作を行わせるための追加承認要求を無線回線を介して送信し、その追加承認要求を送信した無線通信装置からその追加要求に対する承認操作が行われた旨の追加承認結果を受信した場合には、その追加要求を送信した無線通信装置をそのグループに追加登録する登録処理を行うという作用をもたらす。
【００１２】
また、この第１の側面において、上記管理システムは、上記仮登録がされてから上記承認操作が一定期間以上行われない場合には、当該仮登録を抹消して当該仮登録に係る追加登録を行わないようにしてもよい。これにより、管理システムは、仮登録がされてから承認操作が一定期間以上行われない場合には、その仮登録を抹消してその仮登録に係る追加登録を行わないという作用をもたらす。
【００１３】
また、この第１の側面において、上記管理システムは、上記グループを構成する無線通信装置からの要求に応じて、上記グループを構成する複数の無線通信装置間において上記接続権を移転する移転処理を行い、上記グループに仮登録されている無線通信装置については上記接続権の移転を行わないようにしてもよい。これにより、管理システムは、グループを構成する無線通信装置からの要求に応じて、そのグループを構成する複数の無線通信装置間において接続権を移転する移転処理を行い、そのグループに仮登録されている無線通信装置については接続権の移転を行わないという作用をもたらす。
【００１４】
また、この第１の側面において、上記管理システムは、上記追加要求を送信した無線通信装置を上記グループに仮登録した場合には、その旨の通知を上記グループを構成する無線通信装置に無線回線を介して送信するようにしてもよい。これにより、管理システムは、追加要求を送信した無線通信装置をグループに仮登録した場合には、その旨の通知をそのグループを構成する無線通信装置に無線回線を介して送信するという作用をもたらす。
【００１５】
また、この第１の側面において、上記管理システムは、上記通知とともに、上記追加要求に対する上記承認操作を行わせるための追加承認要求を上記グループを構成する無線通信装置に無線回線を介して送信するようにしてもよい。これにより、管理システムは、その通知とともに、追加要求に対する承認操作を行わせるための追加承認要求をそのグループを構成する無線通信装置に無線回線を介して送信するという作用をもたらす。
【００１６】
また、この第１の側面において、上記制御部は、上記追加要求に応じて上記グループに追加登録された旨の通知を上記管理システムから受信した場合に上記グループに追加登録された旨を表示部に表示させるようにしてもよい。これにより、追加要求に応じてグループに追加登録された旨の通知を管理システムから受信した場合には、そのグループに追加登録された旨を表示させるという作用をもたらす。
【００１７】
また、この第１の側面において、上記受付部は、上記グループに付与されている識別情報およびパスワードを上記グループ情報として受け付けるようにしてもよい。これにより、グループに付与されている識別情報およびパスワードをグループ情報として受け付けるという作用をもたらす。
【００１９】
また、この第１の側面において、上記管理システムを、ＲＯ（Registration Operator）とするようにしてもよい。これにより、追加要求をＲＯに無線回線を介して送信するという作用をもたらす。
【００２０】
また、この第１の側面において、上記グループを構成する複数の無線通信装置のうち上記接続権を保持する無線通信装置は、上記接続権に基づいてＳＨＯ（Selected Home Operator）に接続可能とし、上記グループを構成する複数の無線通信装置のうち上記接続権を保持する無線通信装置以外の無線通信装置は、ＲＯにのみ接続可能とするようにしてもよい。これにより、接続権を保持する無線通信装置は、接続権に基づいてＳＨＯに接続し、接続権を保持する無線通信装置以外の無線通信装置は、ＲＯにのみ接続するという作用をもたらす。
【００２１】
また、本技術の第２の側面は、無線回線を介して所定のネットワークに接続するための接続権であって、通信事業者が運営する基地局に接続するための契約認証情報に基づいて上記基地局に接続する接続権を共有する複数の無線通信装置により構成されるグループを管理するためのデータベースに格納されている上記グループに追加登録するための追加要求を、上記グループを構成する無線通信装置以外の他の無線通信装置から受信する受信部と、上記追加要求を受信した場合には、当該追加要求を送信した上記他の無線通信装置を上記グループに仮登録する仮登録処理を上記データベースについて行い、当該仮登録後に上記グループを構成する無線通信装置において当該追加要求に対する承認操作が行われた場合には、当該追加要求を送信した上記他の無線通信装置を上記グループに追加登録する登録処理を上記データベースについて行う制御を行う制御部とを具備する情報処理装置およびその制御方法ならびに当該方法をコンピュータに実行させるプログラムである。これにより、追加要求を受信した場合には、その追加要求を送信した無線通信装置をグループに仮登録する仮登録処理を行い、その仮登録後にそのグループを構成する無線通信装置においてその追加要求に対する承認操作が行われた場合には、その追加要求を送信した無線通信装置をそのグループに追加登録する登録処理を行うという作用をもたらす。
【００２２】
また、本技術の第３の側面は、無線回線を介して所定のネットワークに接続するための接続権であって、通信事業者が運営する基地局に接続するための契約認証情報に基づいて上記基地局に接続する接続権を共有する複数の無線通信装置により構成されるグループに追加登録するための操作入力として上記グループを特定するためのグループ情報を受け付ける受付部と、上記グループ情報が受け付けられた場合に、上記グループを構成する無線通信装置において承認操作が行われるまでは上記グループに仮登録しておき、上記グループを構成する無線通信装置において上記承認操作が行われたことを条件に上記グループに追加登録することを要求する追加要求を上記グループを管理する情報処理装置に無線回線を介して送信する制御部とを備える無線通信装置と、上記追加要求を受信した場合には、当該追加要求を送信した無線通信装置を上記グループに仮登録する仮登録処理を行い、当該仮登録後に上記グループを構成する無線通信装置において当該追加要求に対する上記承認操作が行われた場合には、当該追加要求を送信した無線通信装置を上記グループに追加登録する登録処理を行う情報処理装置とを具備する通信システムおよびその制御方法ならびに当該方法をコンピュータに実行させるプログラムである。これにより、無線通信装置は、グループ情報が受け付けられた場合に、追加要求を情報処理装置に無線回線を介して送信し、情報処理装置は、その追加要求を受信した場合には、その追加要求を送信した無線通信装置をグループに仮登録する仮登録処理を行い、その仮登録後にそのグループを構成する無線通信装置においてその追加要求に対する承認操作が行われた場合には、その追加要求を送信した無線通信装置をそのグループに追加登録する登録処理を行うという作用をもたらす。
【発明の効果】
【００２３】
本技術によれば、複数の無線通信装置間においてネットワークに接続するための権利を共有し、その共有に係る安全性を維持することができるという優れた効果を奏し得る。
【図面の簡単な説明】
【００２４】
【図１】本技術の第１の実施の形態における複数の無線通信装置（デバイス）の使用例を簡略化して示す図である。
【図２】本技術の第１の実施の形態における複数の無線通信装置によりＭＣＩＭを共有する場合におけるグループ例を簡略化して示す図である。
【図３】本技術の第１の実施の形態における通信システム１００のシステム構成例を示すブロック図である。
【図４】本技術の第１の実施の形態におけるグループ管理データベース２２０を模式的に示す図である。
【図５】本技術の第１の実施の形態におけるグループ管理データベース２２０を模式的に示す図である。
【図６】本技術の第１の実施の形態における第１の無線通信装置３００の内部構成例を示すブロック図である。
【図７】本技術の第１の実施の形態における第１の無線通信装置３００および第３の無線通信装置４１０の表示部３７０に表示される表示画面例を示す図である。
【図８】本技術の第１の実施の形態における第１の無線通信装置３００の表示部３７０に表示される表示画面例を示す図である。
【図９】本技術の第１の実施の形態における第３の無線通信装置４１０の表示部３７０に表示される表示画面例を示す図である。
【図１０】本技術の第１の実施の形態における通信システム１００を構成する各装置間における通信処理例を示すシーケンスチャートである。
【図１１】本技術の第１の実施の形態における通信システム１００を構成する各装置間における通信処理例を示すシーケンスチャートである。
【図１２】本技術の第１の実施の形態における通信システム１００を構成する各装置間における通信処理例を示すシーケンスチャートである。
【図１３】本技術の第１の実施の形態における通信システム１００を構成する各装置間における通信処理例を示すシーケンスチャートである。
【図１４】本技術の第１の実施の形態における第３の無線通信装置４１０による通信処理の処理手順の一例を示すフローチャートである。
【図１５】本技術の第１の実施の形態における第１の無線通信装置３００による通信処理の処理手順の一例を示すフローチャートである。
【図１６】本技術の第１の実施の形態における情報処理装置２００による通信処理の処理手順の一例を示すフローチャートである。
【図１７】本技術の第１の実施の形態における情報処理装置２００による通信処理の処理手順の一例を示すフローチャートである。
【図１８】本技術の第２の実施の形態における通信システム１００を構成する各装置間における通信処理例を示すシーケンスチャートである。
【図１９】本技術の第２の実施の形態における通信システム１００を構成する各装置間における通信処理例を示すシーケンスチャートである。
【図２０】本技術の第２の実施の形態における第３の無線通信装置４１０による通信処理の処理手順の一例を示すフローチャートである。
【図２１】本技術の第２の実施の形態における第１の無線通信装置３００による通信処理の処理手順の一例を示すフローチャートである。
【図２２】本技術の第２の実施の形態における情報処理装置２００による通信処理の処理手順の一例を示すフローチャートである。
【図２３】本技術の第２の実施の形態における情報処理装置２００による通信処理の処理手順の一例を示すフローチャートである。
【図２４】本技術の実施の形態の変形例におけるスピーカ装置８００の外観構成例を示す斜視図である。
【発明を実施するための形態】
【００２５】
以下、本技術を実施するための形態（以下、実施の形態と称する）について説明する。説明は以下の順序により行う。
１．第１の実施の形態（グループ追加制御：ＭＣＩＭ（Machine Communication Identity Module）を共有するグループに新たなデバイスを追加する例）
２．第２の実施の形態（グループ追加制御：新たなデバイスの仮登録時および本登録時にその旨を通知する例）
３．変形例
【００２６】
＜１．第１の実施の形態＞
［無線通信装置の使用例］
図１は、本技術の第１の実施の形態における複数の無線通信装置（デバイス）の使用例を簡略化して示す図である。
【００２７】
図１（ａ）には、複数の無線通信装置（第１の無線通信装置３００および第２の無線通信装置４００）をユーザ１０が使用する状態を示す。第１の無線通信装置３００は、例えば、携帯電話装置（例えば、スマートフォン）であり、第２の無線通信装置４００は、例えば、無線通信機能を備える電子書籍表示装置である。
【００２８】
図１（ｂ）および（ｃ）には、複数の無線通信装置においてＭＣＩＭ（Machine Communication Identity Module）を共有する場合におけるＭＣＩＭの使用権の遷移例を示す。このように、本技術の第１の実施の形態では、ＳＨＯ（Selected Home Operator）１５０およびＲＯ（Registration Operator）２００から構成されるネットワーク構成例を示す（例えば、非特許文献１参照。）。
【００２９】
ここで、ＳＨＯ１５０は、インターネット・サービス等を提供するものであり、例えば、無線接続サービスを提供する無線事業者（例えば、携帯電話事業者）に対応する。また、ＲＯ２００は、初期接続登録等のサービスを提供するものであり、例えば、無線接続サービスを提供する無線事業者（例えば、携帯電話事業者）に対応する。また、ＳＨＯ１５０およびＲＯ２００は接続され、互いに通信を行うことができる。
【００３０】
なお、ＲＯ、ＳＨＯは、論理的な役割を示すものであり、異なる事業者により運営されることが想定されるが、同一の事業者により運営されることも想定される。また、ＲＯ、ＳＨＯは、それぞれ複数存在することも想定される。また、ＲＯ、ＳＨＯのそれぞれは、情報処理装置として一体として構成されるようにしてもよく、複数の装置により構成されるようにしてもよい。ここで、ＲＯ、ＳＨＯは、有効なＭＣＩＭを所有する無線通信装置を基準とする場合における相対的な役割を意味するものである。このため、１つの無線通信装置についてＲＯに相当するものが、他の無線通信装置についてはＳＨＯに相当する可能性もある。
【００３１】
ここで、図１（ｂ）および（ｃ）には、有効なＭＣＩＭを保持する無線通信装置を太線で示す。すなわち、図１（ｂ）には、第１の無線通信装置３００が有効なＭＣＩＭを保持する場合を示し、図１（ｃ）には、第２の無線通信装置４００が有効なＭＣＩＭを保持する場合を示す。また、図１（ｂ）および（ｃ）に示すように、第１の無線通信装置３００および第２の無線通信装置４００は、有効なＭＣＩＭを保持する場合にのみ、ＳＨＯ１５０と接続することが可能となる（３０１、４０２）。これに対して、有効なＭＣＩＭを保持していない無線通信装置は、ＰＣＩＤ（Provisional Connectivity Identity）に基づいて、ＲＯ２００と接続することが可能となる（４０１、３０２）。
【００３２】
ここで、ＭＣＩＭは、契約認証情報の一例であり、契約認証情報は、電話の加入者（Subscriber）情報と、認証鍵（Authentication）の情報とを含む情報である。ＭＣＩＭは、例えば、デバイス購入時には特定の通信事業者（例えば、携帯電話事業者）に限定されず、購入後に柔軟に通信事業者を設定することができる契約認証情報（いわゆる、ソフトＳＩＭ（Subscriber Identity Module））である。また、有効なＭＣＩＭを保持していない場合は、例えば、ＭＣＩＭ自体を保持していない場合、または、ＭＣＩＭの無効化処理により無効とされたＭＣＩＭのみを保持している場合を意味する。
【００３３】
また、ＰＣＩＤは、ＲＯに接続するための識別子（例えば、図４に示すネットワーク上の端末識別情報２２５）であり、全ての無線通信装置（デバイス）に付与される。
【００３４】
このように、複数の無線通信装置によりＭＣＩＭの使用権を共有する場合には、この共有に係る複数の無線通信装置を１つのグループとして設定することができる。このグループ例を図２に示す。
【００３５】
［ＭＣＩＭを共有するグループ例］
図２は、本技術の第１の実施の形態における複数の無線通信装置によりＭＣＩＭを共有する場合におけるグループ例を簡略化して示す図である。
【００３６】
図２（ａ）には、第１の無線通信装置３００および第２の無線通信装置４００により構成されるグループＡＢ（点線の矩形１６１で示す）に、第３の無線通信装置４１０を追加する例を示す。なお、「グループＡＢ」は、グループに付与された名称（例えば、図４に示すグループ名称２２１）である。第３の無線通信装置４１０は、例えば、無線通信機能を備える情報処理装置（例えば、ノート型パーソナルコンピュータ）である。
【００３７】
図２（ｂ）には、図２（ａ）に示すグループＡＢ（点線の矩形１６１で示す）に第３の無線通信装置４１０が追加されて、３つの無線通信装置によりグループＡＢ（点線の矩形１６２で示す）が構成される場合を示す。
【００３８】
また、ユーザ１０は、図２（ｂ）に示すグループＡＢ（点線の矩形１６２で示す）を構成する３つの無線通信装置のうち、所望の無線通信装置をグループＡＢから削除させることができる。
【００３９】
ここで、新たな無線通信装置をグループに追加登録する場合には、その追加操作を容易に行えることが好ましい。また、その追加操作を容易とするとともに、意図しない無線通信装置が追加されないように、安全性を維持することが重要である。そこで、ＩＤやパスワードを用いて、その追加操作を行うことが考えられる。しかしながら、ＩＤやパスワードが第三者に知られたような場合には、その追加操作の安全性を維持することが困難となることが想定される。そこで、本技術の第１の実施の形態では、グループのＩＤおよびパスワードを用いた認証とともに、グループに登録済みの無線通信装置と、追加対象となる無線通信装置との両方を用いて、そのグループへの追加登録をする。
【００４０】
［通信システムの構成例］
図３は、本技術の第１の実施の形態における通信システム１００のシステム構成例を示すブロック図である。
【００４１】
通信システム１００は、公衆回線網１１０と、基地局１２１、１２２、２０６と、ネットワーク制御装置１２０と、情報処理装置２００と、第１の無線通信装置３００と、第２の無線通信装置４００と、第３の無線通信装置４１０とを備える。
【００４２】
公衆回線網１１０は、電話網、インターネット等の公衆回線網である。また、公衆回線網１１０とネットワーク制御装置１２０とは、ゲートウェイ（図示せず）を介して接続される。同様に、公衆回線網１１０と情報処理装置２００とは、ゲートウェイ（図示せず）を介して接続される。
【００４３】
ネットワーク制御装置１２０は、無線接続サービスを提供する無線事業者により管理される通信制御装置であり、認証制御部（図示せず）を備える。この認証制御部は、基地局１２１、１２２を介して接続される無線通信装置の認証制御を行うものである。ここで、ネットワーク制御装置１２０の認証制御部は、基地局１２１、１２２を介して接続される無線通信装置のうち、特定の場合を除き、有効なＭＣＩＭ（契約認証情報）を保持する無線通信装置を認証する。そして、ネットワーク制御装置１２０は、認証された無線通信装置をゲートウェイ（図示せず）を介して公衆回線網１１０に接続する。
【００４４】
また、ネットワーク制御装置１２０は、情報処理装置２００と接続され、情報処理装置２００との間で各種情報のやり取りを行う。ここで、有効なＭＣＩＭ（契約認証情報）を保持していない無線通信装置は、その無線通信装置のＰＣＩＤに基づいて、ネットワーク制御装置１２０を介した情報処理装置２００との接続（限定接続）が可能である。
【００４５】
基地局１２１、１２２は、第１の無線通信装置３００、第２の無線通信装置４００、第３の無線通信装置４１０と、ネットワーク制御装置１２０とを無線回線１２３乃至１２６を介して接続する移動体通信基地局（ＮｏｄｅＢ）である。
【００４６】
例えば、通信システム１００において、各無線通信装置は、無線回線１２３乃至１２６を介して基地局１２１、１２２と接続され、基地局１２１、１２２を介してネットワーク制御装置１２０と接続される。また、各無線通信装置は、ネットワーク制御装置１２０を介して情報処理装置２００と接続される。なお、第１の無線通信装置３００、第２の無線通信装置４００および第３の無線通信装置４１０のそれぞれは、使用されている位置に応じて、基地局１２１、１２２の何れについても接続が可能である。また、通信システム１００において、ネットワーク制御装置１２０を運営する通信事業者の有効なＭＣＩＭを保持する無線通信装置を基準とする場合には、ネットワーク制御装置１２０、基地局１２１、１２２は、ＳＨＯに相当する。
【００４７】
また、有効なＭＣＩＭ（契約認証情報）を保持していない無線通信装置は、その無線通信装置のＰＣＩＤに基づいて、無線回線２０７、基地局２０６を介して情報処理装置２００との接続（限定接続）が可能である。また、通信システム１００において、ネットワーク制御装置１２０を運営する通信事業者の有効なＭＣＩＭを保持する無線通信装置を基準とする場合には、情報処理装置２００、基地局２０６は、ＲＯに相当する。このため、本技術の実施の形態では、その一部で情報処理装置２００をＲＯ２００と称して説明する。
【００４８】
また、情報処理装置２００は、初期接続登録等のサービスを提供するものであり、通信部２０５と、制御部２１０と、グループ管理データベース２２０とを備える。なお、情報処理装置２００は、特許請求の範囲に記載の情報処理装置および管理システムの一例である。
【００４９】
通信部２０５は、制御部２１０の制御に基づいて、各種情報の送受信を行うものである。通信部２０５は、例えば、ネットワーク制御装置１２０と接続され、ネットワーク制御装置１２０を介して接続される各無線通信装置との間で各種情報の送受信を行う。例えば、通信部２０５は、グループ管理データベース２２０に格納されているグループに追加登録するためのグループ追加要求を、そのグループを構成する無線通信装置以外の他の無線通信装置から受信する。そして、通信部２０５は、無線通信装置等から受信した各種情報を制御部２１０に出力する。なお、通信部２０５は、特許請求の範囲に記載の受信部の一例である。
【００５０】
制御部２１０は、通信部２０５、ネットワーク制御装置１２０を介して接続される無線通信装置に関する各種制御を行うものである。例えば、制御部２１０は、グループ追加要求を無線通信装置から通信部２０５を介して受信する。このように、グループ追加要求を受信した場合には、制御部２１０は、そのグループ追加要求を送信した無線通信装置をそのグループに追加登録する制御を行う。この追加登録については、図１０乃至図１３等を参照して詳細に説明する。
【００５１】
ここで、上述したグループは、ネットワーク接続権を共有するグループとして把握することができる。このネットワーク接続権は、無線回線を介して所定のネットワーク（例えば、公衆回線網１１０）に接続するための権利であり、例えば、ＭＣＩＭの使用権に対応する。すなわち、ネットワーク接続権は、通信事業者が運営する基地局に接続するためのＭＣＩＭ（契約認証情報）に基づいて、その基地局に接続するための権利である。また、例えば、ネットワーク接続権の有無は、ＭＣＩＭの使用権の有無により決定することができる。
【００５２】
グループ管理データベース２２０は、ＭＣＩＭを共有する複数の無線通信装置により構成されるグループを管理するためのデータベースである。なお、本技術の第１の実施の形態では、グループ管理データベース２２０を情報処理装置２００の内部に設ける例を示すが、グループ管理データベース２２０を情報処理装置２００の外部（すなわち、ＲＯの外部）に設けるようにしてもよい。例えば、グループ管理データベース２２０および制御部２１０間において通信を行うことができるように、グループ管理データベース２２０（外部に設置）および情報処理装置２００を専用線等の通信回線により接続する構成とすることができる。また、例えば、グループ管理データベース２２０（外部に設置）および情報処理装置２００を、公衆回線網１１０を介して接続する構成とするようにしてもよい。なお、グループ管理データベース２２０については、図４および図５を参照して詳細に説明する。また、グループ管理データベース２２０は、特許請求の範囲に記載のデータベースの一例である。
【００５３】
ここで、通信システム１００において、ＭＣＩＭの使用権を移転する例（ネットワーク接続権の移転例）について説明する。例えば、各無線通信装置にＭＣＩＭを保持させておく。そして、制御部２１０からの指示に基づいて、ネットワーク制御装置１２０が各無線通信装置におけるＭＣＩＭの有効化／無効化を行うことにより、ＭＣＩＭの使用権を移転することができる。
【００５４】
また、各無線通信装置にＭＣＩＭを保持させる代わりに、ＭＣＩＭそのものを転送することにより、ＭＣＩＭの使用権を移転するようにしてもよい。例えば、第１の無線通信装置３００から第２の無線通信装置４００にＭＣＩＭの使用権を移転する場合を想定する。例えば、ＭＣＩＭ移転要求が、第１の無線通信装置３００から制御部２１０に送信される。この場合には、制御部２１０からの指示に基づいて、第１の無線通信装置３００に保持されているＭＣＩＭがネットワーク制御装置１２０により無効（消去）とされる。また、制御部２１０を介してネットワーク制御装置１２０から第２の無線通信装置４００に移転情報（ＭＣＩＭを含む設定情報）が送信される。この移転情報に含まれるＭＣＩＭを第２の無線通信装置４００に保持させることにより、第２の無線通信装置４００に有効なＭＣＩＭが設定される。
【００５５】
［グループ管理データベースの構成例］
図４および図５は、本技術の第１の実施の形態におけるグループ管理データベース２２０を模式的に示す図である。なお、図４（ａ）には、グループＡＢに、第１の無線通信装置３００および第２の無線通信装置４００が登録（本登録）されている場合を示す。また、図４（ｂ）および図５（ａ）には、図４（ａ）に示すグループＡＢに、第３の無線通信装置４１０が仮登録された場合を示す。また、図５（ｂ）には、図４（ｂ）および図５（ａ）に示すグループＡＢに、第３の無線通信装置４１０が本登録された場合を示す。
【００５６】
ここで、グループへの仮登録は、対象となる無線通信装置がそのグループに属している状態となっているが、承認状態が未承認となっている状態を意味する。このように、仮登録されている無線通信装置については、ＭＣＩＭの使用権の移転を行うことができないものとする。また、グループへの本登録（すなわち、正式な登録）は、対象となる無線通信装置がそのグループに属している状態であり、かつ、承認状態が承認となっている状態を意味する。このように、本登録されている無線通信装置については、ＭＣＩＭの使用権の移転を行うことができる。
【００５７】
グループ管理データベース２２０には、グループ名称２２１と、グループＩＤ２２２と、グループパスワード２２３と、デバイスネーム２２４と、端末識別情報２２５と、有効無効情報２２６と、承認状態２２７とがグループ単位で関連付けて記憶されている。これらの情報は、例えば、各無線通信装置からの各情報（グループ追加要求、承認情報）に基づいて、制御部２１０により順次更新される。
【００５８】
グループ名称２２１には、グループに付与されている名称が格納される。この名称は、例えば、グループの作成時に格納される。
【００５９】
グループＩＤ２２２には、グループに付与されているＩＤが格納される。また、グループパスワード２２３には、グループに付与されているパスワードが格納される。これらのＩＤおよびパスワードを用いてグループ追加要求が行われる。また、グループに属する各無線通信装置は、そのグループに付与されているＩＤおよびパスワードを記憶しておくようにしてもよい（例えば、図６に示すメモリ３４０に記憶）。あるいは、ＩＤおよびパスワードを無線通信装置に記憶させずにユーザに毎回入力させるような態様とするようにしてもよい。
【００６０】
デバイスネーム２２４には、無線通信装置（デバイス）に付与されている名称が格納される。この名称は、例えば、グループへの追加登録時に格納される。
【００６１】
端末識別情報２２５には、無線通信装置の端末識別番号が格納される。この端末識別情報は、無線通信装置を識別するための識別情報であり、例えば、ＰＣＩＤが格納される。また、図４および図５では、端末識別情報２２５の「ＰＣＩＤ＃１」が第１の無線通信装置３００に対応するものとする。同様に、端末識別情報２２５の「ＰＣＩＤ＃２」が第２の無線通信装置４００に対応し、端末識別情報２２５の「ＰＣＩＤ＃３」が第３の無線通信装置４１０に対応するものとする。なお、この例では、端末識別情報２２５としてＰＣＩＤを用いる例を示すが、各無線通信装置を識別することができる他の識別情報（例えば、無線通信装置のシリアル番号）を用いるようにしてもよい。
【００６２】
有効無効情報２２６には、無線通信装置におけるＭＣＩＭが有効であるか、無効（または、ＭＣＩＭを未保持）であるかを示す情報が格納される。なお、図４および図５では、説明の容易のため、ＭＣＩＭが有効である無線通信装置には「有効」を示し、ＭＣＩＭが無効である無線通信装置には「無効」を示す。
【００６３】
承認状態２２７には、グループに属している無線通信装置の承認状態が、承認済である、未承認であるかを示す情報が格納される。なお、図４および図５では、説明の容易のため、承認状態が承認済である無線通信装置には「承認済」を示し、承認状態が未承認である無線通信装置には「未承認」を示す。すなわち、承認状態２２７に「承認済」が格納されている無線通信装置は本登録されていることを意味し、承認状態２２７に「未承認」が格納されている無線通信装置は仮登録されていることを意味する。
【００６４】
また、承認状態２２７に「承認済」が格納されている無線通信装置については、有効無効情報２２６には「有効」または「無効」の何れかが格納される。一方、承認状態２２７に「未承認」が格納されている無線通信装置については、有効無効情報２２６には「−」が格納される。すなわち、本登録状態の無線通信装置については、ＭＣＩＭの使用権の移転を行うことができるため、ＭＣＩＭの使用権の保持状態に応じて、有効無効情報２２６には「有効」または「無効」の何れかが格納される。一方、仮登録状態の無線通信装置については、ＭＣＩＭの使用権の移転を行うことができないため、有効無効情報２２６には「−」が格納される。
【００６５】
［無線通信装置の構成例］
図６は、本技術の第１の実施の形態における第１の無線通信装置３００の内部構成例を示すブロック図である。なお、第２の無線通信装置４００および第３の無線通信装置４１０の内部構成については、第１の無線通信装置３００と同様であるため、ここでの説明を省略する。また、図７以降において、第２の無線通信装置４００または第３の無線通信装置４１０を用いて説明する場合には、第１の無線通信装置３００に対応する名称および符号を付して説明する。
【００６６】
第１の無線通信装置３００は、アンテナ３１１と、アンテナ共用部３１２と、変調部３２１と、復調部３２２と、制御部３３０と、メモリ３４０と、ＭＣＩＭ情報記憶部３５０とを備える。また、第１の無線通信装置３００は、操作部３６０と、表示部３７０と、位置情報取得部３８０と、マイクロフォン３９１と、スピーカ３９２とを備える。また、各部がバス３３１により接続される。第１の無線通信装置３００は、例えば、通話およびデータ通信が可能な携帯電話装置により実現される。
【００６７】
例えば、受信処理が行われる場合には、アンテナ３１１により受信された電波が、アンテナ共用部３１２を経由して復調部３２２により復調され、この復調された受信データが制御部３３０に供給される。その受信処理が受話処理である場合には、その復調された受信データ（音声データ）が制御部３３０を経由してスピーカ３９２から音声として出力される。
【００６８】
また、例えば、送信処理が行われる場合には、制御部３３０により出力された送信データが変調部３２１により変調され、変調された送信データがアンテナ共用部３１２を経由してアンテナ３１１から送信される。その送信処理が送話処理である場合には、マイクロフォン３９１から入力された音声データが制御部３３０を経由して変調部３２１により変調され、変調された送信データ（音声データ）がアンテナ共用部３１２を経由してアンテナ３１１から送信される。
【００６９】
制御部３３０は、メモリ３４０に格納されている制御プログラムに基づいて各種の制御を行うものである。制御部３３０は、例えば、マイクロプロセッサにより構成される。例えば、制御部３３０は、変調部３２１および復調部３２２と接続され、基地局１２１、１２２を介して接続されるネットワーク制御装置１２０との間で行われる各種データの送受信を行う。また、制御部３３０は、例えば、ＭＣＩＭを用いずにＰＣＩＤに基づく限定接続により無線回線を介してＲＯ２００と接続する接続処理を行う。
【００７０】
メモリ３４０は、制御部３３０が各種制御を行うための制御プログラム、送信データ、受信データ等を格納するメモリである。メモリ３４０は、例えば、ＲＯＭ（Read Only Memory）やＲＡＭ（Random Access Memory）により構成される。また、メモリ３４０には、第１の無線通信装置３００を特定するための端末識別情報（ＰＣＩＤ＃１）と、第１の無線通信装置３００のデバイスネーム（例えば、図４および図５に示すデバイスネーム２２４）とが記憶されている。このデバイスネームについては、例えば、ユーザ操作により登録される。また、メモリ３４０には、第１の無線通信装置３００が属するグループＡＢに付与されているＩＤおよびパスワード（例えば、図４および図５に示すグループＩＤ２２２、グループパスワード２２３）が記憶されている。このグループＩＤおよびパスワードについては、例えば、承認状態情報（図１１に示す）に含めて、情報処理装置２００から送信されて、メモリ３４０に記録される。
【００７１】
ＭＣＩＭ情報記憶部３５０は、ＭＣＩＭ（契約認証情報）を保持するメモリである。ＭＣＩＭ情報記憶部３５０として、例えば、ＵＩＣＣ（Universal Integrated Circuit）カードを用いるようにしてもよく、ＭＣＩＭをセキュアに保つための専用メモリを用いるようにしてもよい。なお、ＭＣＩＭ情報記憶部３５０としてＵＩＣＣカードを用いる場合には、ＭＣＩＭが固定的に書き込まれているものではなく、ＭＣＩＭの有効化処理および無効化処理が可能なものを用いる。すなわち、アンテナ３１１から受信して復調された移転情報に基づいて制御部３３０がＭＣＩＭの有効化処理および無効化処理が可能なものを用いる。また、ＭＣＩＭの書換処理が可能なものを用いる。なお、ＭＣＩＭの有効化処理および無効化処理については、３ＧＰＰ（Third Generation Partnership Project）に規定されている有効化処理および無効化処理により行うことができる。また、メモリ３４０にセキュアな領域を確保することにより、ＭＣＩＭ情報記憶部３５０をメモリ３４０内に設けるようにしてもよい。
【００７２】
ここで、制御部３３０は、例えば、グループに追加登録するための操作入力が操作部３６０において受け付けられた場合に、そのグループ追加要求をＲＯ２００に無線回線を介して送信する制御を行う。このグループ追加要求は、例えば、そのグループを構成する無線通信装置以外の無線通信装置をそのグループに追加登録することを要求するものであり、メモリ３４０に記憶されているグループ情報（例えば、グループのＩＤおよびパスワード）を含む。また、グループ追加要求は、グループを構成する無線通信装置において承認操作が行われるまではそのグループに仮登録しておき、その承認操作が行われたことを条件にそのグループに追加登録することを要求するものである。
【００７３】
ＲＯ２００の制御部２１０は、グループ追加要求を受信した場合には、そのグループ追加要求を送信した無線通信装置を、そのグループ追加要求に係るグループに仮登録する仮登録処理を行う。また、ＲＯ２００の制御部２１０は、その仮登録後にそのグループを構成する無線通信装置においてそのグループ追加要求に対する承認操作が行われた場合には、そのグループ追加要求を送信した無線通信装置をそのグループに追加登録する登録処理を行う。なお、登録処理および仮登録処理は、ＲＯ２００の制御部２１０がグループ管理データベース２２０の内容を更新することにより行われる。
【００７４】
また、ＲＯ２００の制御部２１０は、グループを構成する無線通信装置からの要求に応じて、そのグループを構成する複数の無線通信装置間においてＭＣＩＭの使用権を移転する移転処理を行う。この移転処理が行われた場合には、ＲＯ２００の制御部２１０がグループ管理データベース２２０の内容を更新する。ここで、ＲＯ２００の制御部２１０は、そのグループに仮登録されている無線通信装置については、ＭＣＩＭの使用権の移転を行わない。
【００７５】
また、制御部３３０は、例えば、グループを構成する何れかの無線通信装置をそのグループから削除するための操作入力が受け付けられた場合に、その削除対象となる無線通信装置をそのグループから削除するためのグループ削除要求をＲＯ２００に送信する。そして、ＲＯ２００の制御部２１０は、その削除対象となる無線通信装置をそのグループから削除処理する。
【００７６】
操作部３６０は、ユーザにより操作された操作入力を受け付ける操作受付部であり、受け付けられた操作入力に応じた信号を制御部３３０に出力する。操作部３６０は、例えば、数字キーやアルファベットキー等の各種キーを備え、グループ追加要求を指示するユーザによる指示操作（所定操作）を受け付ける。なお、操作部３６０は、特許請求の範囲に記載の受付部の一例である。
【００７７】
表示部３７０は、制御部３３０の制御に基づいて、各種情報（文字情報や時刻情報等）を表示する表示部である。表示部３７０は、例えば、グループ追加登録に関する各情報（例えば、図７乃至図９に示す表示画面）を表示する。なお、表示部３７０として、例えば、有機ＥＬ（Electro Luminescence）パネル、ＬＣＤ（Liquid Crystal Display）パネル等の表示パネルを用いることができる。なお、操作部３６０および表示部３７０については、使用者がその指を表示面に接触または近接することにより操作入力を行うことが可能なタッチパネルを用いて一体で構成することができる。
【００７８】
位置情報取得部３８０は、第１の無線通信装置３００が存在する位置を示す位置情報を取得するものであり、この取得された位置情報を制御部３３０に出力する。位置情報取得部３８０は、例えば、ＧＰＳ（Global Positioning System）信号受信アンテナ（図示せず）により受信されたＧＰＳ信号に基づいて位置情報を算出するＧＰＳユニットにより実現することができる。この算出された位置情報には、ＧＰＳ信号の受信時における緯度、経度、高度等の位置に関する各データが含まれる。また、他の位置情報の取得方法により位置情報を取得する位置情報取得装置を用いるようにしてもよい。例えば、周囲に存在する無線ＬＡＮ（Local Area Network）によるアクセスポイント情報を用いて位置情報を導き出し、この位置情報を取得する位置情報取得装置を用いるようにしてもよい。
【００７９】
［追加操作画面および確認操作画面の表示例］
図７は、本技術の第１の実施の形態における第１の無線通信装置３００および第３の無線通信装置４１０の表示部３７０に表示される表示画面例を示す図である。具体的には、図７（ａ）には、第３の無線通信装置４１０の表示部３７０に表示される表示画面例を示し、図７（ｂ）には、第１の無線通信装置３００の表示部３７０に表示される表示画面例を示す。
【００８０】
図７（ａ）には、第３の無線通信装置４１０をグループに追加するための追加操作を行うための追加操作画面５００を示す。追加操作画面５００には、グループのＩＤ入力領域５０１と、グループのパスワード入力領域５０２と、確定ボタン５０３と、戻るボタン５０４とが設けられている。
【００８１】
グループのＩＤ入力領域５０１は、第３の無線通信装置４１０を追加するグループのＩＤを入力するための領域である。
【００８２】
グループのパスワード入力領域５０２は、第３の無線通信装置４１０を追加するグループのパスワードを入力するための領域である。すなわち、グループのＩＤ入力領域５０１には、グループＡＢのＩＤが入力され、グループのパスワード入力領域５０２には、グループＡＢのパスワードが入力される。なお、パスワードについては、実際の画面ではセキュリティの観点から非表示となるため、図７では「＊＊＊＊＊＊」で示す。
【００８３】
確定ボタン５０３は、上述した各操作（入力操作）がされた後に、その操作内容を確定する際に押下されるボタンである。
【００８４】
戻るボタン５０４は、例えば、直前に表示されていた表示画面に戻る場合に押下されるボタンである。なお、図８等に示す戻るボタン５１５等についても略同様であるため、図８等では、これらの説明を省略する。
【００８５】
図７（ｂ）には、第１の無線通信装置３００以外の他の無線通信装置（第３の無線通信装置４１０）をグループＡＢに本登録するための情報（ＤＢ確認情報）を要求するＤＢ確認操作を行うための確認操作画面５０５を示す。なお、追加操作画面５００および確認操作画面５０５については、その上部に表示されるメッセージの一部が異なる以外は、略同一であるため、ここでは、追加操作画面５００と異なる点についてのみ説明し、他の説明を省略する。
【００８６】
グループのＩＤ入力領域５０１は、第１の無線通信装置３００が属するグループのＩＤを入力するための領域である。
【００８７】
グループのパスワード入力領域５０２は、第１の無線通信装置３００が属するグループのパスワードを入力するための領域である。
【００８８】
なお、図７では、第３の無線通信装置４１０に表示される追加操作画面５００、第１の無線通信装置３００に表示される確認操作画面５０５のみを示すが、他の無線通信装置に表示される各画面についても略同様であるものとする。
【００８９】
［承認操作画面の表示例］
図８は、本技術の第１の実施の形態における第１の無線通信装置３００の表示部３７０に表示される表示画面例を示す図である。図８に示す承認操作画面５１０は、第１の無線通信装置３００が属するグループ（グループＡＢ）を確認するための画面である。具体的には、承認操作画面５１０は、グループ管理データベース２２０の内容（例えば、グループＡＢに属する各無線通信装置のリスト）を表示して、そのグループに仮登録されている無線通信装置について承認操作を行うための画面である。
【００９０】
承認操作画面５１０には、デバイスネーム表示領域５１１と、承認状態表示領域５１２と、承認ボタン５１３と、確定ボタン５１４と、戻るボタン５１５とが設けられている。
【００９１】
デバイスネーム表示領域５１１は、第１の無線通信装置３００が属するグループＡＢに登録（本登録、仮登録）されている各無線通信装置の名称等（図８では、デバイスネームおよび端末識別情報）を表示する領域である。
【００９２】
承認状態表示領域５１２は、第１の無線通信装置３００が属するグループＡＢに登録（本登録、仮登録）されている各無線通信装置の承認状態を表示する領域である。具体的には、グループＡＢに本登録されている無線通信装置には「承認済」が表示され、グループＡＢに仮登録されている無線通信装置には「未承認」が表示される。
【００９３】
承認ボタン５１３は、グループＡＢに仮登録されている無線通信装置を本登録するための承認を行う際に押下されるボタンである。また、仮登録されている無線通信装置が複数存在する場合には、これらの各無線通信装置に承認ボタン５１３が設けられる。なお、仮登録されている無線通信装置が複数存在する場合には、これらの各無線通信装置にチェックボックスを付して表示し、このチェックボックスにより承認を行う無線通信装置を選択するようにしてもよい。
【００９４】
このように、図８では、図４（ｂ）に示すグループ管理データベース２２０の内容に基づいて、承認操作画面５１０が表示される例を示す。
【００９５】
確定ボタン５１４は、上述した各操作（承認ボタン５１３の押下操作）がされた後に、その操作内容を確定する際に押下されるボタンである。なお、確定ボタン５１４については、承認ボタン５１３の押下操作が行われた場合にのみ操作可能とし、承認ボタン５１３の押下操作が行われていない場合には、確定ボタン５１４をグレーアウトとするようにしてもよい。
【００９６】
［登録結果通知の表示例］
図９は、本技術の第１の実施の形態における第３の無線通信装置４１０の表示部３７０に表示される表示画面例を示す図である。図９に示す登録結果通知画面５２０、５２５は、第３の無線通信装置４１０をグループＡＢに追加するための追加操作に対するその登録結果を通知するための画面である。具体的には、図９（ａ）には、その追加操作について登録された旨を示す登録結果通知画面５２０を示し、図９（ｂ）には、その追加操作について登録されなかった旨を示す登録結果通知画面５２５を示す。
【００９７】
図９（ａ）に示す登録結果通知画面５２０には、追加登録（本登録）された旨を示すメッセージが表示され、さらに、ＭＣＩＭが有効なデバイス表示領域５２１と、ＭＣＩＭの移転操作画面へボタン５２２と、確認ボタン５２３とが設けられている。
【００９８】
ＭＣＩＭが有効なデバイス表示領域５２１は、追加登録されたグループに属する無線通信装置のうち、ＭＣＩＭが有効な無線通信装置に関する情報（デバイス情報）を表示する領域である。例えば、グループ管理データベース２２０の内容が承認状態情報（例えば、図１１に示す）に含まれ、その内容に基づいてそのデバイス情報が表示される。
【００９９】
ＭＣＩＭの移転操作画面へボタン５２２は、追加登録されたグループに属する無線通信装置間においてＭＣＩＭの移転を行うための操作を行う表示画面に遷移する際に押下されるボタンである。
【０１００】
確認ボタン５２３は、グループ追加登録がされた旨と、ＭＣＩＭが有効な無線通信装置との確認後に、ユーザにより押下されるボタンである。この確認ボタン５２３が押下された場合には、所定の表示画面（例えば、初期画面）が表示される。
【０１０１】
図９（ｂ）に示す登録結果通知画面５２５には、グループ追加登録がされなかった旨を示すメッセージが表示され、さらに、追加操作画面へボタン５２６および確認ボタン５２７が設けられている。
【０１０２】
追加操作画面へボタン５２６は、グループ追加登録がされなかった無線通信装置について、グループＡＢに追加するための追加操作を再度行うための表示画面（例えば、図７（ａ）に示す追加操作画面５００）に遷移する際に押下されるボタンである。
【０１０３】
確認ボタン５２７は、グループ追加登録がされなかった旨の確認後に、ユーザにより押下されるボタンである。この確認ボタン５２７が押下された場合には、所定の表示画面（例えば、初期画面）が表示される。
【０１０４】
なお、図９では、第３の無線通信装置４１０に表示される登録結果通知画面５２０、５２５のみを示すが、他の無線通信装置に表示される表示画面についても略同様であるものとする。
【０１０５】
このように、制御部３３０は、グループ追加要求に応じてグループに追加登録された旨の通知をＲＯ２００から受信した場合には、そのグループに追加登録された旨を表示部３７０に表示させる制御を行う。
【０１０６】
［複数の無線通信装置を用いて追加登録を行う場合における通信例］
図１０および図１１は、本技術の第１の実施の形態における通信システム１００を構成する各装置間における通信処理例を示すシーケンスチャートである。
【０１０７】
図１０および図１１では、第１の無線通信装置３００および第２の無線通信装置４００によりグループＡＢが構成されている場合において、第１の無線通信装置３００が有効なＭＣＩＭを保持している場合を想定して説明する。また、図１０および図１１では、第１の無線通信装置３００と、グループＡＢに未加入の第３の無線通信装置４１０とを操作することにより、第３の無線通信装置４１０をグループＡＢに追加登録（本登録）する場合における通信処理例を示す。この場合に、最初に第３の無線通信装置４１０を操作し、この操作後に第１の無線通信装置３００を操作してグループ追加要求を行う例について説明する。なお、図１０および図１１では、第１の無線通信装置３００がＳＨＯ１５０と接続状態（６０１）とされ、第２の無線通信装置４００および第３の無線通信装置４１０がＲＯ２００と接続状態（６０２、６０３）とされているものとする。
【０１０８】
最初に、第３の無線通信装置４１０を「グループＡＢ」に追加するための表示画面が第３の無線通信装置４１０の表示部３７０に表示される。例えば、ユーザ操作に基づいて、図７（ａ）に示す追加操作画面５００（ただし、各入力領域が空欄となっている画面）が表示される。そして、追加操作画面５００において、グループのＩＤ入力領域５０１およびグループのパスワード入力領域５０２には、グループＡＢのＩＤおよびパスワードが入力される（６０４）。グループＡＢのＩＤおよびパスワードは、グループＡＢに関するグループ情報の一例である。これらの入力操作が行われた後に、確定ボタン５０３が押下される（６０４）。
【０１０９】
このようにグループＡＢへの追加操作が受け付けられた場合には（６０４）、その追加操作に対応するグループ追加要求が第３の無線通信装置４１０からＲＯ２００に送信される（６０５、６０６）。上述したように、第３の無線通信装置４１０がＲＯ２００と接続状態（６０３）とされているため、グループ追加要求は、第３の無線通信装置４１０からＲＯ２００に直接送信される（６０５、６０６）。
【０１１０】
ここで、グループ追加要求には、追加操作画面５００において入力された各情報と、グループ追加要求を行った無線通信装置の識別情報（メモリ３４０に記憶されている端末識別情報（ＰＣＩＤ＃３））とが含まれる。追加操作画面５００において入力された各情報は、例えば、グループのＩＤおよびパスワードである。
【０１１１】
グループ追加要求を受信すると（６０６）、ＲＯ２００の制御部２１０は、グループ管理データベース２２０の内容に基づいて、受信したグループ追加要求について認証処理を行う（６０７）。具体的には、受信したグループ追加要求に含まれるグループのＩＤおよびパスワードが、グループ管理データベース２２０に記憶されているグループのＩＤおよびパスワードと一致するか否かが判断される。そして、ＩＤおよびパスワードが一致するグループが存在する場合には、制御部２１０は、受信したグループ追加要求に係る第３の無線通信装置４１０をそのグループに仮登録することを認証する。
【０１１２】
受信したグループ追加要求に関する認証処理により認証された場合には（６０７）、制御部２１０は、グループ管理データベース２２０の内容を更新する（６０８）。すなわち、グループ管理データベース２２０において、グループＡＢに第３の無線通信装置４１０が仮登録される（図４（ａ）に示す状態から図４（ｂ）に示す状態に更新される（点線の矩形２２８））。
【０１１３】
このように、グループＡＢに第３の無線通信装置４１０が仮登録された場合には（６０８）、グループＡＢに本登録されている他の無線通信装置において承認操作が行われたことを条件に、グループＡＢに第３の無線通信装置４１０が本登録される。
【０１１４】
ここで、受信したグループ追加要求に関する認証処理により認証がされなかった場合を想定する（６０７）。この場合には、グループ管理データベース２２０の内容が更新されずに、そのグループ追加要求に係るグループに追加登録できない旨の通知（登録結果通知）が、第３の無線通信装置４１０に送信される。そして、その旨の登録結果通知画面（例えば、図９（ｂ）に示す登録結果通知画面５２５）が、第３の無線通信装置４１０に表示される。ここで、認証がされない場合は、例えば、受信したグループ追加要求に含まれるグループのＩＤおよびパスワードの少なくとも１つが、グループ管理データベース２２０の内容と一致しない場合である。
【０１１５】
グループＡＢに第３の無線通信装置４１０が仮登録された後に（６０８）、第１の無線通信装置３００において、グループＡＢに第３の無線通信装置４１０を本登録するための情報（ＤＢ確認情報）を要求するＤＢ確認操作が行われる（６０９）。例えば、ユーザ操作に基づいて、図７（ｂ）に示す確認操作画面５０５（ただし、各入力領域が空欄となっている画面）が表示される。そして、確認操作画面５０５において、グループのＩＤ入力領域５０１およびグループのパスワード入力領域５０２には、グループＡＢのＩＤおよびパスワードが入力される（６０９）。これらの入力操作が行われた後に、確定ボタン５０３が押下される（６０９）。
【０１１６】
このようにＤＢ確認操作が受け付けられた場合には（６０９）、そのＤＢ確認要求が第１の無線通信装置３００からＲＯ２００に送信される（６１０乃至６１３）。上述したように、第１の無線通信装置３００はＳＨＯ１５０と接続状態（６０１）とされているため、ＤＢ確認要求は、ＳＨＯ１５０を介して、第１の無線通信装置３００からＲＯ２００に送信される（６１０乃至６１３）。
【０１１７】
ここで、ＤＢ確認要求には、確認操作画面５０５において入力された各情報と、ＤＢ確認要求を行った無線通信装置の識別情報（メモリ３４０に記憶されている端末識別情報（ＰＣＩＤ＃１））とが含まれる。確認操作画面５０５において入力された各情報は、例えば、グループのＩＤおよびパスワードである。
【０１１８】
なお、第１の無線通信装置３００のメモリ３４０には、グループＡＢのＩＤおよびパスワードが記憶されている。このため、メモリ３４０に記憶されているグループＡＢのＩＤおよびパスワードを用いることにより、グループのＩＤ入力領域５０１およびグループのパスワード入力領域５０２の操作入力を省略することができる。すなわち、確認操作画面５０５におけるグループのＩＤ入力領域５０１およびグループのパスワード入力領域５０２には、第１の無線通信装置３００のメモリ３４０に記憶されている内容（グループＡＢに付与されているＩＤおよびパスワード）を表示させる。これにより、ユーザは、グループＡＢのＩＤおよびパスワードを入力する必要がなく、表示されているその内容を確認するのみでよい。
【０１１９】
ＤＢ確認要求を受信すると（６１３）、ＲＯ２００の制御部２１０は、グループ管理データベース２２０の内容に基づいて、受信したＤＢ確認要求について認証処理を行う（６１４）。具体的には、受信したＤＢ確認要求に含まれるグループのＩＤおよびパスワードが、グループ管理データベース２２０に記憶されているグループのＩＤおよびパスワードと一致するか否かが判断される。そして、ＩＤおよびパスワードが一致するグループが存在する場合には、制御部２１０は、そのＤＢ確認要求を送信した第１の無線通信装置３００に、その一致するグループに係る情報（ＤＢ確認情報）を送信する（６１５乃至６１８）。この場合についても、ＤＢ確認情報は、ＳＨＯ１５０を介して、第１の無線通信装置３００からＲＯ２００に送信される（６１５乃至６１８）。
【０１２０】
第１の無線通信装置３００がＤＢ確認情報を受信すると（６１８）、グループ追加承認を行うための承認操作画面が第１の無線通信装置３００の表示部３７０に表示される（６１９）。例えば、図８に示す承認操作画面５１０が表示される。そして、承認操作画面５１０において、デバイスネーム表示領域５１１および承認状態表示領域５１２の表示内容を確認したユーザにより、承認ボタン５１３が押下された後に、確定ボタン５１４が押下される（６２０）。すなわち、仮登録されている無線通信装置を確認した後に、その承認をするための承認操作が行われる。
【０１２１】
このように、グループＡＢに本登録されている無線通信装置（第１の無線通信装置３００）において、グループＡＢに登録（本登録、仮登録）されている無線通信装置のリストを表示させることができる。そして、そのリストから、承認する無線通信装置（第３の無線通信装置４１０）を選択するのみでその承認操作を行うことができる。
【０１２２】
このように仮登録されている無線通信装置の確認後に承認操作が行われた場合には（６２０）、グループ追加登録を承認する旨の承認情報（デバイス承認のメッセージ）が第１の無線通信装置３００からＲＯ２００に送信される（６２１乃至６２４）。この場合についても、第１の無線通信装置３００はＳＨＯ１５０と接続状態（６０１）とされていため、承認情報は、ＳＨＯ１５０を介して、第１の無線通信装置３００からＲＯ２００に送信される（６２１乃至６２４）。
【０１２３】
グループ追加登録を承認する旨の承認情報を受信した場合には（６２４）、ＲＯ２００の制御部２１０は、グループ管理データベース２２０の内容を更新する（６２５）。すなわち、グループ管理データベース２２０において、グループＡＢに第３の無線通信装置４１０が追加登録（本登録）される（図５（ａ）に示す状態から図５（ｂ）に示す状態に更新される（点線の矩形２２８、２２９））。このように、第３の無線通信装置４１０を仮登録から本登録に変更することにより、第３の無線通信装置４１０に、グループＡＢに係るＭＣＩＭの使用権を移転することができる。
【０１２４】
また、第３の無線通信装置４１０において、グループＡＢへの追加登録（本登録）の承認状態を確認するための情報（承認状態情報）を要求する承認状態確認操作が行われる（６２６）。例えば、ユーザ操作に基づいて、確認操作画面が表示される。この確認操作画面は、例えば、図７（ｂ）に示す確認操作画面５０５（ただし、各入力領域が空欄となっている画面）の上部のメッセージのみが異なる確認操作画面である。このため、ここでは、図７（ｂ）と同様の符号を用いて説明する。この確認操作画面において、グループのＩＤ入力領域５０１およびグループのパスワード入力領域５０２には、グループＡＢのＩＤおよびパスワードが入力される（６２６）。これらの入力操作が行われた後に、確定ボタン５０３が押下される（６２６）。
【０１２５】
このように承認状態確認操作が受け付けられた場合には（６２６）、その承認状態確認要求が第３の無線通信装置４１０からＲＯ２００に送信される（６２７、６２８）。この場合についても、承認状態確認要求は、第３の無線通信装置４１０からＲＯ２００に直接送信される（６２７、６２８）。
【０１２６】
ここで、承認状態確認要求には、確認操作画面において入力された各情報と、承認状態確認要求を行った無線通信装置の識別情報（メモリ３４０に記憶されている端末識別情報（ＰＣＩＤ＃３））とが含まれる。確認操作画面において入力された各情報は、例えば、グループのＩＤおよびパスワードである。
【０１２７】
承認状態確認要求を受信すると（６２８）、ＲＯ２００の制御部２１０は、グループ管理データベース２２０の内容に基づいて、受信した承認状態確認要求について認証処理を行う（６２９）。具体的には、受信した承認状態確認要求に含まれるグループのＩＤおよびパスワードが、グループ管理データベース２２０に記憶されているグループのＩＤおよびパスワードと一致するか否かが判断される。そして、ＩＤおよびパスワードが一致するグループが存在する場合には、制御部２１０は、第３の無線通信装置４１０に、そのグループの登録内容（仮登録、本登録）を示す情報（承認状態情報）を送信する（６３０、６３１）。この場合についても、承認状態情報は、ＲＯ２００から第３の無線通信装置４１０に直接送信される（６３０、６３１）。
【０１２８】
第３の無線通信装置４１０が承認状態情報を受信すると（６３１）、その承認状態情報が第３の無線通信装置４１０の表示部３７０に表示される（６３２）。例えば、グループ追加要求に対するその登録結果を通知するための登録結果通知画面（図９（ａ）に示す登録結果通知画面５２０）がその承認状態情報として表示される。
【０１２９】
［有効なＭＣＩＭを保持しない無線通信装置により追加承認を行う場合における通信例］
図１２および図１３は、本技術の第１の実施の形態における通信システム１００を構成する各装置間における通信処理例を示すシーケンスチャートである。なお、図１２および図１３に示すシーケンスチャートは、図１０および図１１の変形例であるため、図１０および図１１と共通する部分については、同一の符号を付して、これらの説明の一部を省略する。また、図１２および図１３では、有効なＭＣＩＭを保持していない第２の無線通信装置４００によりグループ追加承認を行う例について説明する。このように、有効なＭＣＩＭを保持していない第２の無線通信装置４００は、ＰＣＩＤに基づくＲＯ２００との限定接続のみを行うことができる。
【０１３０】
図１２および図１３に示す各処理（６４１乃至６５５）は、図１０および図１１に示す各処理（６０９乃至６２５）に対応する。ただし、上述したように、第２の無線通信装置４００はＲＯ２００と接続状態（６０２）とされている。このため、第２の無線通信装置４００およびＲＯ２００間における情報のやりとりが、ＳＨＯ１５０を介さずに、ＲＯ２００および第２の無線通信装置４００間で直接行われる点が異なる
【０１３１】
このように、本技術の第１の実施の形態によれば、例えば、公衆回線網１１０における契約認証情報（ＭＣＩＭ）を、グループ内の複数の無線通信装置で容易に共有することができる。この場合において、そのグループに新たな無線通信装置を追加登録する場合には、安全性を維持しつつ、確実に追加することができる。
【０１３２】
例えば、第３の無線通信装置４１０において追加操作を行うことにより、第３の無線通信装置４１０をグループＡＢに追加することができる。この場合に、グループＡＢに属する他の無線通信装置による追加承認を得た後に、第３の無線通信装置４１０をグループＡＢに追加登録（本登録）するため、意図しない無線通信装置がグループＡＢに追加されることを防止することができる。これにより、安全性を高め確実に追加することができる。また、グループＡＢに属する他の無線通信装置における承認操作をユーザが都合のよいタイミングで行うことができる。これにより、例えば、グループＡＢのＩＤやパスワードの紛失があり、ＩＤやパスワードが第三者に漏えいしたような場合でも、第三者によるグループＡＢへの意図しない追加を防止することができる。すなわち、本技術の第１の実施の形態によれば、複数の無線通信装置間においてネットワークに接続するための権利を容易に共有することができる。この場合に、その共有に係る安全性を維持することができる。
【０１３３】
なお、本技術の第１の実施の形態では、グループに本登録されている１つの無線通信装置により承認が得られた場合に、そのグループに仮登録されている無線通信装置を本登録する例を示した。ただし、グループに本登録されている複数の無線通信装置により承認が得られた場合にのみ、そのグループに仮登録されている無線通信装置を本登録するようにしてもよい。例えば、複数の人物により１つのグループを構成する場合には、そのグループのメンバーの全員または所定の割合（例えば、８０％）の承認を本登録の条件とするように設定することができる。また、会社の社員でグループを構成する場合には、一定数の社員（例えば、部長および課長）の承認を本登録の条件とするように設定することができる。
【０１３４】
ここで、図１０乃至図１３では、仮登録された無線通信装置については、本登録がされるまでの間、グループ管理データベース２２０に記憶されている例を示した。しかしながら、追加登録を所望する無線通信装置においてグループへの追加操作を行ったユーザが、その承認操作を忘れてしまうことも想定される。このように、仮登録後に承認操作が行われていない無線通信装置の数が多くなると、グループ管理データベース２２０の記憶容量が大きくなり、情報処理装置２００の負荷が増加することも想定される。そこで、例えば、仮登録されてから一定時間（例えば、２４時間）が経過しても、その承認操作が行われない無線通信装置（すなわち、仮登録状態の無線通信装置）については、その仮登録を削除するようにしてもよい。このように仮登録を削除することにより、グループ管理データベース２２０をさらに効率的に運用することができる。なお、仮登録を削除する際に基準となる値（一定時間）については、ユーザ操作や仮登録されている無線通信装置の数等に応じて変更するようにしてもよい。
【０１３５】
すなわち、ＲＯ２００の制御部２１０は、仮登録がされてから承認操作が一定期間以上行われない場合には、その仮登録を抹消してその仮登録に係る追加登録を行わないように制御する。
【０１３６】
［通信システムの動作例］
次に、本技術の第１の実施の形態における通信システム１００の動作について図面を参照して説明する。
【０１３７】
［無線通信装置の動作例］
図１４は、本技術の第１の実施の形態における第３の無線通信装置４１０による通信処理の処理手順の一例を示すフローチャートである。図１４では、有効なＭＣＩＭを保持していない第３の無線通信装置４１０がグループ追加要求を行う場合を例にして説明する。なお、図１４では、第３の無線通信装置４１０における動作例のみを示すが、他の無線通信装置についても同様に適用することができる。
【０１３８】
最初に、制御部３３０が、ＭＣＩＭを共有するグループへの追加操作が行われたか否かを判断し（ステップＳ９０１）、その追加操作が行われていない場合には、監視を継続して行う。その追加操作が行われた場合には（ステップＳ９０１）、制御部３３０が、ＭＣＩＭを共有するグループへの追加操作を行うための表示画面（例えば、図７（ａ）に示す追加操作画面５００）を表示部３７０に表示させる（ステップＳ９０２）。
【０１３９】
続いて、制御部３３０が、その表示画面において、戻るボタンの押下操作（例えば、図７（ａ）に示す追加操作画面５００における戻るボタン５０４の押下操作）が行われたか否かを判断する（ステップＳ９０３）。そして、その押下操作が行われた場合には（ステップＳ９０３）、ステップＳ９０１に戻る。
【０１４０】
その押下操作が行われていない場合には（ステップＳ９０３）、制御部３３０が、その表示画面において、グループ追加要求の送信操作が行われたか否かを判断する（ステップＳ９０４）。その送信操作は、例えば、図７（ａ）に示す追加操作画面５００における必要事項の操作後の確定ボタン５０３の押下操作である。その送信操作が行われていない場合には（ステップＳ９０４）、ステップＳ９０３に戻る。
【０１４１】
グループ追加要求の送信操作（追加操作）が行われた場合には（ステップＳ９０４）、制御部３３０が、その追加操作に対応するグループ追加要求をＲＯ２００に送信する（ステップＳ９０５）。この場合に、第３の無線通信装置４１０が有効なＭＣＩＭを保持していないため、グループ追加要求は、第３の無線通信装置４１０からＲＯ２００に直接送信される。なお、ステップＳ９０４は、特許請求の範囲に記載の受付手順の一例である。また、ステップＳ９０５は、特許請求の範囲に記載の送信手順の一例である。
【０１４２】
続いて、制御部３３０が、グループへの追加登録（本登録）の承認状態を確認するための情報（承認状態情報）を要求する承認状態確認操作が行われたか否かを判断し（ステップＳ９０６）、その承認状態確認操作が行われていない場合には、監視を継続して行う。その承認状態確認操作が行われた場合には（ステップＳ９０６）、制御部３３０が、承認状態情報を要求するための表示画面（例えば、図７（ｂ）に示す確認操作画面５０５）を表示部３７０に表示させる（ステップＳ９０７）。
【０１４３】
続いて、制御部３３０が、その表示画面において、戻るボタンの押下操作（例えば、図７（ｂ）に示す確認操作画面５０５における戻るボタン５０４の押下操作）が行われたか否かを判断する（ステップＳ９０８）。そして、その押下操作が行われた場合には（ステップＳ９０８）、ステップＳ９０６に戻る。
【０１４４】
その押下操作が行われていない場合には（ステップＳ９０８）、制御部３３０が、その表示画面において、承認状態確認要求の送信操作が行われたか否かを判断する（ステップＳ９０９）。その送信操作は、例えば、図７（ｂ）に示す確認操作画面５０５における必要事項の操作後の確定ボタン５０３の押下操作である。その送信操作が行われていない場合には（ステップＳ９０９）、ステップＳ９０８に戻る。
【０１４５】
承認状態確認要求の送信操作が行われた場合には（ステップＳ９０９）、制御部３３０が、その送信操作に対応する承認状態確認要求をＲＯ２００に送信する（ステップＳ９１０）。この場合に、第３の無線通信装置４１０が有効なＭＣＩＭを保持していないため、承認状態確認要求は、第３の無線通信装置４１０からＲＯ２００に直接送信される。
【０１４６】
続いて、グループ追加要求に係るグループの登録内容（仮登録、本登録）を示す情報（承認状態情報）を受信したか否かが判断され（ステップＳ９１１）、承認状態情報を受信していない場合には、監視を継続して行う。一方、承認状態情報を受信した場合には（ステップＳ９１１）、制御部３３０は、承認状態情報画面を表示部３７０に表示させる（ステップＳ９１２）。例えば、グループ追加登録（本登録）がされた旨の承認状態情報を受信した場合には（ステップＳ９１１）、制御部３３０は、その旨（例えば、図９（ａ）に示す登録結果通知画面５２０）を表示部３７０に表示させる（ステップＳ９１２）。一方、グループ追加登録がされなかった旨の承認状態情報を受信した場合には（ステップＳ９１１）、制御部３３０は、その旨（例えば、図９（ｂ）に示す登録結果通知画面５２５）を表示部３７０に表示させる（ステップＳ９１２）。
【０１４７】
図１５は、本技術の第１の実施の形態における第１の無線通信装置３００による通信処理の処理手順の一例を示すフローチャートである。図１５では、有効なＭＣＩＭを保持する第１の無線通信装置３００を用いて承認操作を行う場合を例にして説明する。なお、図１５では、第１の無線通信装置３００における動作例のみを示すが、他の無線通信装置についても同様に適用することができる。
【０１４８】
最初に、制御部３３０が、ＭＣＩＭを共有するグループに新たな無線通信装置を本登録するためのＤＢ確認情報を要求するためのＤＢ確認操作が行われたか否かを判断し（ステップＳ９２１）、そのＤＢ確認操作が行われていない場合には、監視を継続して行う。そのＤＢ確認操作が行われた場合には（ステップＳ９２１）、制御部３３０が、ＤＢ確認情報を要求するための要求操作を行うための表示画面（例えば、図７（ｂ）に示す確認操作画面５０５）を表示部３７０に表示させる（ステップＳ９２２）。
【０１４９】
続いて、制御部３３０が、その表示画面において、戻るボタンの押下操作（例えば、図７（ｂ）に示す確認操作画面５０５における戻るボタン５０４の押下操作）が行われたか否かを判断する（ステップＳ９２３）。そして、その押下操作が行われた場合には（ステップＳ９２３）、ステップＳ９２１に戻る。
【０１５０】
その押下操作が行われていない場合には（ステップＳ９２３）、制御部３３０が、その表示画面において、ＤＢ確認情報を要求するＤＢ確認要求の送信操作が行われたか否かを判断する（ステップＳ９２４）。その送信操作は、例えば、図７（ｂ）に示す確認操作画面５０５における必要事項の操作後の確定ボタン５０３の押下操作である。その送信操作が行われていない場合には（ステップＳ９２４）、ステップＳ９２３に戻る。
【０１５１】
ＤＢ確認要求の送信操作が行われた場合には（ステップＳ９２４）、制御部３３０が、その送信操作に対応するＤＢ確認要求をＲＯ２００に送信する（ステップＳ９２５）。この場合に、第１の無線通信装置３００が有効なＭＣＩＭを保持しているため、ＤＢ確認要求は、ＳＨＯ１５０を介して、第１の無線通信装置３００からＲＯ２００に送信される。
【０１５２】
続いて、制御部３３０が、ＤＢ確認要求に対応するグループに関するＤＢ確認情報を受信したか否かを判断し（ステップＳ９２６）、そのＤＢ確認情報を受信していない場合には、監視を継続して行う。そのＤＢ確認情報を受信した場合には（ステップＳ９２６）、制御部３３０が、グループ追加承認を行うための表示画面（例えば、図８に示す承認操作画面５１０）を表示部３７０に表示させる（ステップＳ９２７）。
【０１５３】
続いて、制御部３３０が、その表示画面において、戻るボタンの押下操作（例えば、図８に示す承認操作画面５１０における戻るボタン５１５の押下操作）が行われたか否かを判断する（ステップＳ９２８）。そして、その押下操作が行われた場合には（ステップＳ９２８）、ステップＳ９２１に戻る。
【０１５４】
その押下操作が行われていない場合には（ステップＳ９２８）、制御部３３０が、その表示画面において、承認情報の送信操作が行われたか否かを判断する（ステップＳ９２９）。その送信操作は、例えば、図８に示す承認操作画面５１０における承認ボタン５１３の押下後の確定ボタン５１４の押下操作である。その送信操作が行われていない場合には（ステップＳ９２９）、ステップＳ９２８に戻る。
【０１５５】
承認情報の送信操作が行われた場合には（ステップＳ９２９）、制御部３３０が、その送信操作に対応する承認情報をＲＯ２００に送信する（ステップＳ９３０）。この場合に、第１の無線通信装置３００が有効なＭＣＩＭを保持しているため、承認情報は、ＳＨＯ１５０を介して、第１の無線通信装置３００からＲＯ２００に送信される。
【０１５６】
［情報処理装置（ＲＯ）の動作例］
図１６および図１７は、本技術の第１の実施の形態における情報処理装置２００による通信処理の処理手順の一例を示すフローチャートである。
【０１５７】
最初に、制御部２１０が、グループ追加要求を受信したか否かを判断し（ステップＳ９４１）、グループ追加要求を受信していない場合には、監視を継続して行う。
【０１５８】
一方、グループ追加要求を受信した場合には（ステップＳ９４１）、制御部２１０が、受信したグループ追加要求と、グループ管理データベース２２０の内容とを比較する（ステップＳ９４２）。具体的には、受信したグループ追加要求に含まれるグループのＩＤおよびパスワードと、グループ管理データベース２２０に記憶されているグループのＩＤおよびパスワードとのそれぞれが比較され、それらが一致するか否かが判断される（ステップＳ９４２）。そして、ＩＤおよびパスワードが一致するグループが存在しない場合には（ステップＳ９４２）、制御部２１０が、そのグループ追加要求に係るグループに追加登録できない旨の通知を、グループ追加要求を送信した無線通信装置に送信する（ステップＳ９４３）。
【０１５９】
ＩＤおよびパスワードが一致するグループが存在する場合には（ステップＳ９４２）、制御部２１０が、グループ管理データベース２２０の内容を更新する（ステップＳ９４４）。この更新では、グループ追加要求を送信した各無線通信装置が仮登録される。
【０１６０】
続いて、制御部２１０が、ＤＢ確認要求を受信したか否かを判断し（ステップＳ９４５）、ＤＢ確認要求を受信していない場合には、制御部２１０が、仮登録がされてから一定時間（例えば、２４時間）が経過したか否かを判断する（ステップＳ９４６）。
【０１６１】
仮登録がされてから一定時間が経過していない場合には（ステップＳ９４６）、ステップＳ９４５に戻る。一方、仮登録がされてから一定時間が経過した場合には（ステップＳ９４６）、ステップＳ９５４に進む。すなわち、制御部２１０が、グループ管理データベース２２０の内容を更新する（ステップＳ９５４）。この更新では、仮登録が削除される。
【０１６２】
一方、ＤＢ確認要求を受信した場合には（ステップＳ９４５）、制御部２１０が、受信したＤＢ確認要求と、グループ管理データベース２２０の内容とを比較する（ステップＳ９４７）。具体的には、受信したＤＢ確認要求に含まれるグループのＩＤおよびパスワードと、グループ管理データベース２２０に記憶されているグループのＩＤおよびパスワードとのそれぞれが比較され、それらが一致するか否かが判断される（ステップＳ９４７）。そして、ＩＤおよびパスワードが一致するグループが存在しない場合には（ステップＳ９４７）、制御部２１０が、そのＤＢ確認要求に係るグループが存在しない旨の通知を、ＤＢ確認要求を送信した無線通信装置に送信する（ステップＳ９４８）。
【０１６３】
ＩＤおよびパスワードが一致するグループが存在する場合には（ステップＳ９４７）、制御部２１０は、ＤＢ確認要求を送信した無線通信装置は、有効なＭＣＩＭを保持するか否かを判断する（ステップＳ９４９）。例えば、グループ管理データベース２２０の有効無効情報２２６（図４および図５に示す）に基づいて判断される。
【０１６４】
ＤＢ確認要求を送信した無線通信装置が有効なＭＣＩＭを保持する場合には（ステップＳ９４９）、制御部２１０は、ＳＨＯ１５０を介して、その無線通信装置にＤＢ確認情報を送信する（ステップＳ９５０）。一方、ＤＢ確認要求を送信した無線通信装置が有効なＭＣＩＭを保持していない場合には（ステップＳ９４９）、制御部２１０は、ＳＨＯ１５０を介さずに、その無線通信装置にＤＢ確認情報を直接送信する（ステップＳ９５１）。
【０１６５】
続いて、制御部２１０が、承認情報を受信したか否かを判断し（ステップＳ９５２）、承認情報を受信していない場合には、制御部２１０が、仮登録がされてから一定時間（例えば、２４時間）が経過したか否かを判断する（ステップＳ９５３）。
【０１６６】
仮登録がされてから一定時間が経過していない場合には（ステップＳ９５３）、ステップＳ９５２に戻る。一方、仮登録がされてから一定時間が経過した場合には（ステップＳ９５３）、制御部２１０が、グループ管理データベース２２０の内容を更新する（ステップＳ９５４）。この更新では、仮登録が削除される。
【０１６７】
一方、承認情報を受信した場合には（ステップＳ９５２）、制御部２１０が、受信した承認情報に基づいて、グループ管理データベース２２０の内容を更新する（ステップＳ９５５）。この更新では、グループ追加要求を送信した各無線通信装置が本登録される。
【０１６８】
＜２．第２の実施の形態＞
本技術の第１の実施の形態では、ユーザによる手動操作によりグループ管理データベース２２０の内容を取得して承認操作や確認操作を行う例を示した。ここで、グループ追加要求を行った無線通信装置について仮登録や本登録がされた場合には、その旨やグループ管理データベース２２０の内容を、グループを構成する各無線通信装置に送信することができる。この場合には、ユーザはその旨を迅速に把握することができ、各操作（承認操作や確認操作）を迅速に行うことができると考えられる。
【０１６９】
そこで、本技術の第２の実施の形態では、グループ追加要求を行った無線通信装置について仮登録や本登録がされた場合には、その旨やグループ管理データベース２２０の内容を自動で各無線通信装置に送信する例を示す。なお、本技術の第２の実施の形態における通信システムの構成については、図３等に示す例と略同様である。このため、本技術の第１の実施の形態と共通する部分については、同一の符号を付して、これらの説明の一部を省略する。
【０１７０】
［複数の無線通信装置を用いて追加登録を行う場合における通信例］
図１８および図１９は、本技術の第２の実施の形態における通信システム１００を構成する各装置間における通信処理例を示すシーケンスチャートである。なお、図１８および図１９に示すシーケンスチャートは、図１０および図１１の変形例であるため、図１０および図１１と共通する部分については、同一の符号を付して、これらの説明の一部を省略する。
【０１７１】
ＲＯ２００の制御部２１０は、グループ管理データベース２２０の内容を更新（仮登録）した後に（６０８）、この更新に係るグループに属する各無線通信装置に、そのグループに係る情報（ＤＢ確認情報）を送信する（６６１乃至６６４）。なお、図１８では、説明の容易のため、第１の無線通信装置３００にのみＤＢ確認情報を送信する例を示すが、その更新に係るグループに本登録されている全てまたは一部の無線通信装置にＤＢ確認情報を送信するようにしてもよい。
【０１７２】
なお、図１８に示す各処理（６６１乃至６７１）は、図１０および図１１に示す各処理（６１５乃至６２５）に対応する。ただし、グループ管理データベース２２０の更新（仮登録）に応じて、情報処理装置２００が自動でＤＢ確認情報を送信する点が異なる。
【０１７３】
また、制御部２１０は、グループ管理データベース２２０の内容を更新（本登録）した後に（６７１）、この更新により本登録された無線通信装置（第３の無線通信装置４１０）に、その結果（本登録）を示す情報（承認状態情報）を送信する（６７２、６７３）。なお、図１８では、その更新により本登録された無線通信装置（第３の無線通信装置４１０）にのみ承認状態情報を送信する例を示すが、その更新に係るグループに属する全てまたは一部の無線通信装置に承認状態情報を送信するようにしてもよい。
【０１７４】
なお、図１８に示す各処理（６７２乃至６７４）は、図１０および図１１に示す各処理（６３０乃至６３２）に対応する。ただし、グループ管理データベース２２０の更新（本登録）に応じて、情報処理装置２００が自動で承認状態情報を送信する点が異なる。
【０１７５】
また、有効なＭＣＩＭを保持していない第２の無線通信装置４００によりグループ追加承認を行う場合についても、本技術の第２の実施の形態を適用することができる。ただし、第２の無線通信装置４００およびＲＯ２００間における情報のやりとりが、ＳＨＯ１５０を介さずに、ＲＯ２００および第２の無線通信装置４００間で直接行われる点が、図１８および図１９に示す例とは異なる
【０１７６】
このように、ＲＯ２００の制御部２１０は、グループ追加要求を受信した場合には、そのグループを構成する無線通信装置にそのグループ追加要求に対する承認操作を行わせるための追加承認要求（ＤＢ確認情報）を無線回線を介して送信する。また、ＲＯ２００の制御部２１０は、その追加承認要求を送信した無線通信装置から承認操作が行われた旨の追加承認結果（承認情報）を受信した場合には、グループ追加要求を送信した無線通信装置をグループに追加登録（本登録）する登録処理を行う。
【０１７７】
また、ＲＯ２００の制御部２１０は、グループ追加要求を送信した無線通信装置をそのグループに仮登録した場合には、その旨の通知および追加承認要求（ＤＢ確認情報）をそのグループを構成する無線通信装置に無線回線を介して送信する。
【０１７８】
［無線通信装置の動作例］
図２０は、本技術の第２の実施の形態における第３の無線通信装置４１０による通信処理の処理手順の一例を示すフローチャートである。この処理手順は、図１４の変形例であるため、図１４と共通する部分については、同一の符号を付してこれらの説明の一部を省略する。
【０１７９】
グループ追加要求の送信操作（追加操作）に対応するグループ追加要求をＲＯ２００に送信した後に（ステップＳ９０５）、制御部３３０は、承認状態情報を受信したか否かを判断する（ステップＳ９１１）。
【０１８０】
図２１は、本技術の第２の実施の形態における第１の無線通信装置３００による通信処理の処理手順の一例を示すフローチャートである。この処理手順は、図１５の変形例であるため、図１５と共通する部分については、同一の符号を付してこれらの説明の一部を省略する。
【０１８１】
最初に、制御部３３０が、第１の無線通信装置３００が属するグループに係るＤＢ確認情報を受信したか否かを判断し（ステップＳ９２６）、そのＤＢ確認情報を受信していない場合には、監視を継続して行う。
【０１８２】
また、戻るボタンの押下操作（例えば、図８に示す承認操作画面５１０における戻るボタン５１５の押下操作）が行われた場合には（ステップＳ９２８）、ステップＳ９２６に戻る。
【０１８３】
［情報処理装置（ＲＯ）の動作例］
図２２および図２３は、本技術の第２の実施の形態における情報処理装置２００による通信処理の処理手順の一例を示すフローチャートである。この処理手順は、図１６および図１７の変形例であるため、図１６および図１７と共通する部分については、同一の符号を付してこれらの説明の一部を省略する。
【０１８４】
グループ管理データベース２２０の内容を更新（仮登録）した後に（ステップＳ９４４）、制御部２１０は、その更新に係るグループに属する各無線通信装置を抽出する（ステップＳ９６１）。この場合に、その更新に係るグループに本登録されている全てまたは一部の無線通信装置を抽出する。例えば、承認に必要な数以上の無線通信装置を抽出する。
【０１８５】
続いて、制御部２１０は、その抽出された無線通信装置は、有効なＭＣＩＭを保持するか否かを判断する（ステップＳ９６２）。なお、複数の無線通信装置が抽出されている場合には、それぞれの無線通信装置について有効なＭＣＩＭを保持するか否かが判断される。
【０１８６】
また、グループ管理データベース２２０の内容を更新（本登録）した後に（ステップＳ９５５）、制御部２１０は、その更新により本登録された無線通信装置に、その結果（本登録）を示す情報（承認状態情報）を送信する（ステップＳ９６３）。
【０１８７】
なお、制御部２１０は、定期的または不定期にグループ管理データベース２２０の内容を確認し、承認状態２２７が「未承認」となっている無線通信装置が存在するグループについて、上述した各処理（ステップＳ９６１乃至Ｓ９６３）を行うようにしてもよい。
【０１８８】
このように、本技術の第２の実施の形態によれば、グループ追加要求を行った無線通信装置について仮登録や本登録がされた場合に、その旨やグループ管理データベース２２０の内容を自動で各無線通信装置に送信することができる。これにより、ユーザはその旨を迅速に把握することができ、各操作（承認操作や確認操作）を迅速に行うことができる。
【０１８９】
＜３．変形例＞
本技術の第１および第２の実施の形態では、表示部を備える無線通信装置を用いてグループ追加操作を行う例を示した。ここで、表現力が比較的豊かなユーザインターフェース（表示部）を備える無線通信装置においてグループ追加登録を行う場合には、その表示部に各表示画面を表示させ、この各表示画面を用いてグループへの追加操作を行うことができる。しかしながら、表現力が限定されているユーザインターフェースのみを備える無線通信装置を用いてグループ追加登録を行う場合には、各表示画面を表示させることができないことも想定される。そこで、この変形例では、表現力が限定されているユーザインターフェースのみを備える無線通信装置を用いてグループへの追加操作を行う例を示す。
【０１９０】
［表示部以外のユーザインターフェースのみを備える無線通信装置例］
図２４は、本技術の実施の形態の変形例におけるスピーカ装置８００の外観構成例を示す斜視図である。すなわち、図２４では、表現力が限定されているユーザインターフェースのみを備える無線通信装置の一例としてスピーカ装置８００を示す。また、図２４では、表現力が限定されているユーザインターフェースのみを備えるスピーカ装置８００において、グループへの追加操作を行う際に用いられる操作部材の一例（発光部８１０、操作部８２０）を示す。
【０１９１】
図２４（ａ）には、スピーカ装置８００の正面側の斜視図を示し、図２４（ｂ）には、スピーカ装置８００の裏面側の斜視図を示す。また、スピーカ装置８００は、発光部８１０および操作部８２０を備える。また、スピーカ装置８００の通信に関する内部構成については、図６に示す第１の無線通信装置３００と略同様であるものとする。例えば、発光部８１０は、表示部３７０に対応し、操作部８２０は、操作部３６０に対応する。
【０１９２】
発光部８１０は、スピーカ装置８００の外装面に設けられる発光部であり、例えば、ＬＥＤ（Light Emitting Diode）により構成される。また、発光部８１０は、制御部３３０からの制御信号に基づいて点灯または消灯する。
【０１９３】
操作部８２０は、スピーカ装置８００の外装面に設けられる１または複数の操作部材により構成される。
【０１９４】
例えば、本技術の第２の実施の形態で示したように、スピーカ装置８００がＤＢ確認情報を受信した場合（図１８に示す６６４）を想定する。この場合には、発光部８１０が所定の点滅動作（例えば、一定間隔で５回点滅）を行うことにより、その旨をユーザに通知することができる（図１８に示す６６５）。また、例えば、発光部８１０として複数のＬＥＤを備え、これらのＬＥＤの組合せによる点灯パターンにより、ＤＢ確認情報を受信した旨をユーザに通知することができる。
【０１９５】
そして、例えば、発光部８１０によりＤＢ確認情報を受信した旨が通知された場合に、所定時間内に、ユーザが所定の操作部材の操作（例えば、決定ボタンの５回の連続押下操作）を行うことにより、承認操作を行うことができる。なお、発光部８１０によりＤＢ確認情報を受信した旨が通知された場合において、所定時間内に、所定の操作部材の操作が行われない場合には、承認操作が行われなかったものと判断される。
【０１９６】
例えば、本技術の第１の実施の形態で示したように、ユーザが所定の操作部材の操作（例えば、決定ボタンおよび矢印ボタンの２回の同時押下操作）を行うことにより、ＤＢ確認操作（図１０に示す６０９）を行うようにしてもよい。この場合には、例えば、スピーカ装置８００に非接触通信部を設け、この非接触通信部を介してＤＢ確認操作に必要な各情報（例えば、グループのＩＤおよびパスワード）を他の無線通信装置から取得して用いることができる。
【０１９７】
このように、本技術の実施の形態の変形例によれば、ＵＩ（ユーザインターフェース）が豊かでないデバイスであっても、グループ登録に係る各操作を行うことができる。このため、各種の無線通信装置においてグループ登録に係る各操作を行うことができる。
【０１９８】
なお、本技術の実施の形態では、一体として構成される情報処理装置２００を例にして説明した。ただし、これらの情報処理装置が備える各部（例えば、制御部２１０、グループ管理データベース２２０）を複数の装置により構成する情報処理システムについても本技術の実施の形態を適用することができる。また、本技術の実施の形態では、２または３の無線通信装置により構成されるグループＡＢを例にして説明したが、４以上の無線通信装置により構成されるグループについても本技術の実施の形態を適用することができる。また、携帯型の無線通信装置（例えば、データ通信専用端末装置）や、固定型の無線通信装置（例えば、自動販売機のデータ収集を目的とする無線通信装置）に本技術の実施の形態を適用することができる。
【０１９９】
また、本技術の実施の形態では、ネットワーク接続権として、ＭＣＩＭの使用権を例にして説明した。ただし、他の情報（例えば、ＵＳＩＭ（Universal Subscriber Identity Module））に基づいて、所定のネットワークと接続するための他のネットワーク接続権についても、本技術の実施の形態を適用することができる。
【０２００】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０２０１】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【０２０２】
なお、本技術は以下のような構成もとることができる。
（１）  無線回線を介して所定のネットワークに接続するための接続権を共有する複数の無線通信装置により構成されるグループに追加登録するための操作入力として前記グループを特定するためのグループ情報を受け付ける受付部と、
前記グループ情報が受け付けられた場合に、前記グループを構成する無線通信装置において承認操作が行われるまでは前記グループに仮登録しておき、前記グループを構成する無線通信装置において前記承認操作が行われたことを条件に前記グループに追加登録することを要求する追加要求を前記グループを管理する管理システムに無線回線を介して送信する制御部と
を具備する無線通信装置。
（２）  前記管理システムは、前記追加要求を受信した場合には、当該追加要求を送信した無線通信装置を前記グループに仮登録する仮登録処理を行い、当該仮登録後に前記グループを構成する無線通信装置において当該追加要求に対する前記承認操作が行われた場合には、当該追加要求を送信した無線通信装置を前記グループに追加登録する登録処理を行う上記（１）に記載の無線通信装置。
（３）  前記管理システムは、前記追加要求を受信した場合には、前記グループを構成する無線通信装置に当該追加要求に対する前記承認操作を行わせるための追加承認要求を無線回線を介して送信し、前記追加承認要求を送信した無線通信装置から当該追加要求に対する前記承認操作が行われた旨の追加承認結果を受信した場合には、当該追加要求を送信した無線通信装置を前記グループに追加登録する登録処理を行う上記（２）に記載の無線通信装置。
（４）  前記管理システムは、前記仮登録がされてから前記承認操作が一定期間以上行われない場合には、当該仮登録を抹消して当該仮登録に係る追加登録を行わない上記（２）または（３）に記載の無線通信装置。
（５）  前記管理システムは、前記グループを構成する無線通信装置からの要求に応じて、前記グループを構成する複数の無線通信装置間において前記接続権を移転する移転処理を行い、前記グループに仮登録されている無線通信装置については前記接続権の移転を行わない上記（１）から（４）のいずれかに記載の無線通信装置。
（６）  前記管理システムは、前記追加要求を送信した無線通信装置を前記グループに仮登録した場合には、その旨の通知を前記グループを構成する無線通信装置に無線回線を介して送信する上記（１）から（５）のいずれかに記載の無線通信装置。
（７）  前記管理システムは、前記通知とともに、前記追加要求に対する前記承認操作を行わせるための追加承認要求を前記グループを構成する無線通信装置に無線回線を介して送信する上記（６）に記載の無線通信装置。
（８）  前記制御部は、前記追加要求に応じて前記グループに追加登録された旨の通知を前記管理システムから受信した場合に前記グループに追加登録された旨を表示部に表示させる上記（１）から（７）のいずれかに記載の無線通信装置。
（９）  前記受付部は、前記グループに付与されている識別情報およびパスワードを前記グループ情報として受け付ける上記（１）から（８）のいずれかに記載の無線通信装置。
（１０）  前記接続権は、通信事業者が運営する基地局に接続するための契約認証情報に基づいて前記基地局に接続する権利である上記（１）から（９）のいずれかに記載の無線通信装置。
（１１）  前記管理システムは、ＲＯ（Registration Operator）である上記（１）から（１０）のいずれかに記載の無線通信装置。
（１２）  前記グループを構成する複数の無線通信装置のうち前記接続権を保持する無線通信装置は、前記接続権に基づいてＳＨＯ（Selected Home Operator）に接続可能であり、
前記グループを構成する複数の無線通信装置のうち前記接続権を保持する無線通信装置以外の無線通信装置は、ＲＯにのみ接続可能である
上記（１）から（１１）のいずれかに記載の無線通信装置。
（１３）  無線回線を介して所定のネットワークに接続するための接続権を共有する複数の無線通信装置により構成されるグループを管理するためのデータベースに格納されている前記グループに追加登録するための追加要求を、前記グループを構成する無線通信装置以外の他の無線通信装置から受信する受信部と、
前記追加要求を受信した場合には、当該追加要求を送信した前記他の無線通信装置を前記グループに仮登録する仮登録処理を前記データベースについて行い、当該仮登録後に前記グループを構成する無線通信装置において当該追加要求に対する承認操作が行われた場合には、当該追加要求を送信した前記他の無線通信装置を前記グループに追加登録する登録処理を前記データベースについて行う制御を行う制御部と
を具備する情報処理装置。
（１４）  無線回線を介して所定のネットワークに接続するための接続権を共有する複数の無線通信装置により構成されるグループに追加登録するための操作入力として前記グループを特定するためのグループ情報を受け付ける受付部と、前記グループ情報が受け付けられた場合に、前記グループを構成する無線通信装置において承認操作が行われるまでは前記グループに仮登録しておき、前記グループを構成する無線通信装置において前記承認操作が行われたことを条件に前記グループに追加登録することを要求する追加要求を前記グループを管理する情報処理装置に無線回線を介して送信する制御部とを備える無線通信装置と、
前記追加要求を受信した場合には、当該追加要求を送信した無線通信装置を前記グループに仮登録する仮登録処理を行い、当該仮登録後に前記グループを構成する無線通信装置において当該追加要求に対する前記承認操作が行われた場合には、当該追加要求を送信した無線通信装置を前記グループに追加登録する登録処理を行う情報処理装置と
を具備する通信システム。
（１５）  無線回線を介して所定のネットワークに接続するための接続権を共有する複数の無線通信装置により構成されるグループに追加登録するための操作入力として前記グループを特定するためのグループ情報を受け付ける受付手順と、
前記グループ情報が受け付けられた場合に、前記グループを構成する無線通信装置において承認操作が行われるまでは前記グループに仮登録しておき、前記グループを構成する無線通信装置において前記承認操作が行われたことを条件に前記グループに追加登録することを要求する追加要求を前記グループを管理する管理システムに無線回線を介して送信する送信手順と
を具備する無線通信装置の制御方法。
【符号の説明】
【０２０３】
１００  通信システム
１１０  公衆回線網
１２０  ネットワーク制御装置
１２１、１２２、２０６  基地局
１２３〜１２６、２０７  無線回線
２００  情報処理装置
２０５  通信部
２０７  無線回線
２１０、３３０  制御部
２２０  グループ管理データベース
３００  第１の無線通信装置
３１１  アンテナ
３１２  アンテナ共用部
３２１  変調部
３２２  復調部
３３１  バス
３４０  メモリ
３５０  ＭＣＩＭ情報記憶部
３６０  操作部
３７０  表示部
３８０  位置情報取得部
３９１  マイクロフォン
３９２  スピーカ
４００  第２の無線通信装置
４１０  第３の無線通信装置
８００  スピーカ装置
８１０  発光部
８２０  操作部
【図１】
0005994215.tif 000002
【図２】
0005994215.tif 000003
【図３】
0005994215.tif 000004
【図４】
0005994215.tif 000005
【図５】
0005994215.tif 000006
【図６】
0005994215.tif 000007
【図７】
0005994215.tif 000008
【図８】
0005994215.tif 000009
【図９】
0005994215.tif 000010
【図１０】
0005994215.tif 000011
【図１１】
0005994215.tif 000012
【図１２】
0005994215.tif 000013
【図１３】
0005994215.tif 000014
【図１４】
0005994215.tif 000015
【図１５】
0005994215.tif 000016
【図１６】
0005994215.tif 000017
【図１７】
0005994215.tif 000018
【図１８】
0005994215.tif 000019
【図１９】
0005994215.tif 000020
【図２０】
0005994215.tif 000021
【図２１】
0005994215.tif 000022
【図２２】
0005994215.tif 000023
【図２３】
0005994215.tif 000024
【図２４】
0005994215.tif 000025